(57)【要約】【課題】長時間にわたって広範囲に捜索することができるとともに、捜索に有用な情報を得ることのできる情報端末、通信システム、および情報端末の制御プログラムを提供する。【解決手段】第２情報端末５０Ａは、信号の方向および強度を認識可能な無線方式に基づいて、送信元を識別するための識別情報を含む無線信号を受信する無線受信ユニット６０と、無線信号から得られる無線信号情報とともに利用可能な付加情報を取得する情報取得ユニット７０と、を備える。【選択図】図３
2015200526.tif 000002
【特許請求の範囲】
【請求項１】
信号の方向および強度を認識可能な無線方式に基づいて、送信元を識別するための識別情報を含む無線信号を受信する無線受信ユニットと、
前記無線信号から得られる無線信号情報とともに利用可能な付加情報を取得する情報取得ユニットと、を備える、
情報端末。
【請求項２】
前記情報取得ユニットは、前記付加情報として自身の位置に関する位置情報を取得する位置情報取得部を含む、
請求項１に記載の情報端末。
【請求項３】
前記情報取得ユニットは、移動体通信方式に基づいて通信を行う通信部と、前記通信部を用いて、前記付加情報として他の情報端末の所有者に関する所有者情報を取得する所有者情報取得部と、を含む、
請求項１または２に記載の情報端末。
【請求項４】
前記情報取得ユニットは、前記無線信号に含まれる符号化された情報を復号化して前記付加情報を取得する復号化部を含む、
請求項１ないし３のいずれか一項に記載の情報端末。
【請求項５】
請求項１ないし４のいずれか一項に記載の情報端末を複数備える、
通信システム。
【請求項６】
無線受信ユニットと情報取得ユニットとを備える情報端末の制御プログラムであって、
前記無線受信ユニットが、信号の方向および強度を認識可能な無線方式に基づいて、送信元を識別するための識別情報を含む無線信号を受信するステップと、
前記情報取得ユニットが、前記無線信号から得られる無線信号情報とともに利用可能な付加情報を取得するステップと、を含む、
情報端末の制御プログラム。
【請求項７】
受信側において信号の方向および強度を認識可能な無線方式に基づいて、送信元を識別するための識別情報を含む無線信号を送信する無線送信ユニットと、
前記無線信号から得られる無線信号情報とともに利用可能な付加情報を取得する情報取得ユニットと、を備える、
情報端末。
【請求項８】
前記情報取得ユニットは、前記無線信号に含める情報として、前記付加情報を設定する付加情報設定部を含む、
請求項７に記載の情報端末。
【請求項９】
前記情報取得ユニットは、移動体通信方式に基づいて通信を行う通信部と、前記付加情報として自身の位置に関する位置情報を取得する位置情報取得部と、を含み、
前記位置情報は前記通信部を用いて送信される、
請求項７または８に記載の情報端末。
【請求項１０】
前記情報取得ユニットは、移動体通信方式に基づいて通信を行う通信部と、前記通信部を用いて変更後の前記識別情報を取得する変更後識別情報取得部と、前記無線信号に含める前記識別情報として前記変更後の識別情報を設定する変更後識別情報設定部と、を含む、
請求項７または８に記載の情報端末。
【請求項１１】
無線送信ユニットと情報取得ユニットとを備える情報端末の制御プログラムであって、
前記無線送信ユニットが、受信側で信号の方向および強度を認識可能な無線方式に基づいて、送信元を識別するための識別情報を含む無線信号を送信するステップと、
前記情報取得ユニットが、前記無線信号から得られる無線信号情報とともに利用可能な付加情報を取得するステップと、を含む、
情報端末の制御プログラム。
【発明の詳細な説明】
【技術分野】
【０００１】
本発明に係るいくつかの態様は、例えば、無線信号を送信または受信する情報端末、通信システム、および情報端末の制御プログラムに関する。
【背景技術】
【０００２】
例えば、地震、津波、台風、大雨などの災害時、山岳での雪崩などの遭難時、高齢者の徘徊、子供の迷子などにおいて、行方不明の捜索対象者（被捜索者）を捜索する場合が発生する。
【０００３】
従来、このような場合に備えるために、緊急災害情報を受信した場合に、あらかじめ定められた情報または画面で設定された情報を、移動体通信網を介して、あらかじめ定められた接続先または画面で設定された接続先に通知する機能を備える携帯電話装置が知られている（例えば、非特許文献１参照）。これにより、この携帯電話装置を所持する捜索対象者（被捜索者）は、自身の安否を捜索者に知らせることができる。
【先行技術文献】
【特許文献】
【０００４】
【特許文献１】特開２００９−２０１０１２号公報
【発明の概要】
【発明が解決しようとする課題】
【０００５】
一方、送信元を識別するための識別情報を含む無線信号を送信して自身の存在を捜索者知らせる無線装置が知られている。このような無線装置は、基地局や通信ネットワークを必要とせず、携帯電話装置の移動体通信方式や、Ｂｌｕｅｔｏｏｔｈ（登録商標）や無線ＬＡＮなどの無線通信方式と比較して、その消費電力が小さく、受信可能な範囲も広かった。
【０００６】
しかしながら、この無線装置から無線信号を受信した捜索者は、無線信号に含まれる識別情報の他に、送信元の方向や距離の情報が得られるのみであり、捜索者は、捜索対象者（被捜索者）に関するその他の情報を得ることができなかった。
【０００７】
本発明のいくつかの態様は前述の問題に鑑みてなされたものであり、長時間にわたって広範囲に捜索することができるとともに、捜索に有益な情報を得ることのできる情報端末、通信システム、および情報端末の制御プログラムを提供することを目的の１つとする。
【課題を解決するための手段】
【０００８】
本発明の一態様における情報端末は、信号の方向および強度を認識可能な無線方式に基づいて、送信元を識別するための識別情報を含む無線信号を受信する無線受信ユニットと、無線信号から得られる無線信号情報とともに利用可能な付加情報を取得する情報取得ユニットと、を備える。
【０００９】
上記情報端末において、情報取得ユニットは、付加情報として自身の位置に関する位置情報を取得する位置情報取得部を含んでもよい。
【００１０】
上記情報端末において、情報取得ユニットは、移動体通信方式に基づいて通信を行う通信部と、通信部を用いて、付加情報として他の情報端末の所有者に関する所有者情報を取得する所有者情報取得部と、を含んでもよい。
【００１１】
上記情報端末において、情報取得ユニットは、無線信号に含まれる符号化された情報を復号化して付加情報を取得する復号化部を含んでもよい。
【００１２】
本発明の一態様における通信システムは、上記情報端末を複数備える。
【００１３】
本発明の一態様における情報端末の制御プログラムは、無線受信ユニットと情報取得ユニットとを備える情報端末の制御プログラムであって、無線受信ユニットが、信号の方向および強度を認識可能な無線方式に基づいて、送信元を識別するための識別情報を含む無線信号を受信するステップと、情報取得ユニットが、前記無線信号から得られる無線信号情報とともに利用可能な付加情報を取得するステップと、を含む。
【００１４】
本発明の一態様における情報端末は、受信側において信号の方向および強度を認識可能な無線方式に基づいて、送信元を識別するための識別情報を含む無線信号を送信する無線送信ユニットと、無線信号から得られる無線信号情報とともに利用可能な付加情報を取得する情報取得ユニットと、を備える。
【００１５】
上記情報端末において、情報取得ユニットは、無線信号に含める情報として、付加情報を設定する付加情報設定部を含んでもよい。
【００１６】
上記情報端末において、情報取得ユニットは、移動体通信方式に基づいて通信を行う通信部と、付加情報として自身の位置に関する位置情報を取得する位置情報取得部と、を含み、位置情報は前記通信部を用いて送信されてもよい。
【００１７】
上記情報端末において、情報取得ユニットは、移動体通信方式に基づいて通信を行う通信部と、通信部を用いて変更後の識別情報を取得する変更後識別情報取得部と、無線信号に含める識別情報として変更後の識別情報を設定する変更後識別情報設定部と、を含んでもよい。
【００１８】
本発明の一態様における情報端末の制御プログラムは、無線送信ユニットと情報取得ユニットとを備える情報端末の制御プログラムであって、無線送信ユニットが、受信側で信号の方向および強度を認識可能な無線方式に基づいて、送信元を識別するための識別情報を含む無線信号を送信するステップと、情報取得ユニットが、無線信号から得られる無線信号情報とともに利用可能な付加情報を取得するステップと、を含む。
【発明の効果】
【００１９】
本発明の情報端末、通信システム、および情報端末の制御プログラムによれば、情報取得ユニットが、無線信号から得られる無線信号情報とともに利用可能な付加情報を取得する。これにより、情報取得ユニットは、無線受信ユニットにより受信された無線信号から得られる無線信号情報とともに、付加情報を得ることが可能となる。したがって、情報端末は、無線信号情報とともに利用可能で、捜索に有益な情報となる付加情報に基づいて、被捜索者（捜索対象者）を捜索することができる。また、無線受信ユニットが、所定の無線方式に基づいて、識別情報を含む無線信号を受信する。したがって、情報端末は、長期間（長時間）にわたって広範囲に被捜索者（捜索対象者）を捜索することができ、被捜索者（捜索対象者）を発見する確率を高めることができる。
【００２０】
また、本発明の情報端末、および情報端末の制御プログラムによれば、情報取得ユニットが、無線信号から得られる無線信号情報とともに利用可能な付加情報を取得する。これにより、例えば、通信部を用いて送信することで、情報取得ユニットが取得した付加情報を捜索者に知らせることが可能となる。したがって、情報端末は、無線信号から得られる無線信号情報とともに利用可能で、捜索に有益な情報となる付加情報を、捜索者に提供することができる。また、無線送信ユニットが、所定の無線方式に基づいて、識別情報を含む無線信号を送信する。したがって、情報端末は、長期間（長時間）にわたって広範囲の捜索者に自己の存在を知らせることができ、捜索者が情報端末を発見する確率を高めることができる。
【図面の簡単な説明】
【００２１】
【図１】第１実施形態における通信システムの概略構成の一例を説明する構成図である。
【図２】図１に示した第１情報端末の構成の一例を説明するブロック図である。
【図３】図１に示した第２情報端末の構成の一例を説明するブロック図である。
【図４】図１および図２に示した第１情報端末の動作の一例を説明するフローチャートである。
【図５】図１および図３に示した第２情報端末の動作の一例を説明するフローチャートである。
【図６】第２実施形態における通信システムの概略構成の一例を説明する構成図である。
【図７】図６に示した第２情報端末の構成の一例を説明するブロック図である。
【図８】図６および図７に示した第２情報端末の動作の一例を説明するフローチャートである。
【図９】第３実施形態における通信システムの概略構成の一例を説明する構成図である。
【図１０】図９に示した第２情報端末の構成の一例を説明するブロック図である。
【図１１】図９に示した第１情報端末の構成の一例を説明するブロック図である。
【図１２】図９および図１０に示した第２情報端末の動作の一例を説明するフローチャートである。
【図１３】図９および図１１に示した第１情報端末の動作の一例を説明するフローチャートである。
【図１４】第４実施形態における通信システムの概略構成の一例を説明する構成図である。
【図１５】図１４に示した第１情報端末の構成の一例を説明するブロック図である。
【図１６】図１４に示した第２情報端末の構成の一例を説明するブロック図である。
【図１７】図１４および図１５に示した第１情報端末の動作の一例を説明するフローチャートである。
【図１８】図１４および図１６に示した第２情報端末の動作の一例を説明するフローチャートである。
【発明を実施するための形態】
【００２２】
以下に本発明の実施形態を説明する。以下の図面の記載において、同一または類似の部分には同一または類似の符号で表している。但し、図面は模式的なものである。したがって、具体的な寸法などは以下の説明を照らし合わせて判断するべきものである。また、図面相互間においても互いの寸法の関係や比率が異なる部分が含まれていることは勿論である。さらに、本発明の技術的範囲は、当該実施形態に限定して解するべきではない。なお、以下の説明において、図面の上側を「上」、下側を「下」、左側を「左」、右側を「右」という。
【００２３】
＜第１実施形態＞
図１ないし図５は、本発明に係る情報端末、情報端末の制御方法、および情報端末の制御プログラムの第１実施形態を示すためのものである。図１は、第１実施形態における通信システム１００の概略構成の一例を説明する構成図である。図１に示すように、通信システム１００は、複数の基地局１０１、通信ネットワーク１０２、位置情報サーバ１０３、第１情報端末１０、第２情報端末５０Ａ、および第２情報端末５０Ｂを備える。
【００２４】
本実施形態では、説明の便宜上、被捜索者（捜索対象者）が第１情報端末１０を所持するとともに、二人の捜索者のうちの一方が第２情報端末５０Ａを所持し、他方が第２情報端末５０Ｂを所持するものとして説明する。
【００２５】
基地局１０１は、第１情報端末１０、第２情報端末５０Ａ、および第２情報端末５０Ｂが通信ネットワーク１０２を介して通話またはデータを通信（送受信）するのを中継するためのものである。各基地局１０１は、通信ネットワーク１０２に接続されている。また、各基地局１０１は、ネットワーク制御装置（図示省略）に接続されている。ネットワーク制御装置は、基地局１０１を介する通信を制御しており、第１情報端末１０、第２情報端末５０Ａ、および第２情報端末５０Ｂの発着信や回線接続、位置登録やハンドオーバーの制御などを行う。
【００２６】
通信ネットワーク１０２は、移動通信事業者が管理、運用するネットワークである。通信ネットワーク１０２には、位置情報サーバ１０３が接続されている。位置情報サーバ１０３は、情報端末の位置に関する位置情報を登録するためのサーバである。
【００２７】
［第１情報端末１０の構成］
図２は、図１に示した第１情報端末１０の構成の一例を説明するブロック図である。図２に示すように、第１情報端末１０は、無線送信ユニット２０および情報取得ユニット３０を備える。
【００２８】
［第１情報端末１０−無線送信ユニット２０の構成］
無線送信ユニット２０は、所定の無線方式に基づいて、無線信号を送信するためのものである。無線送信ユニット２０は、アンテナ２１、送信部２２、記憶部２３、入出力部２４、制御部２５、および電源部２６を備える。
【００２９】
アンテナ２１は、所定の周波数帯の電波（電磁波）を放射（輻射）および受波できるように構成されている。アンテナ２１は、水平面内のあらゆる方向にまんべんなく電波を送信できるように、無指向性を有する（指向性のない）ものが好ましい。
【００３０】
送信部２２は、アンテナ２１に接続している。送信部２２は、所定の無線方式に基づいて、アンテナ２１を介して無線信号を送信するように構成されている。所定の無線方式は、受信側において信号の方向および強度を認識可能なものであればよく、特定の無線方式に限定されない。当該所定の無線方式に基づく無線信号は、例えば、数［ｍ］程度から５［ｋｍ］程度まで離れた距離で受信することが可能である。
【００３１】
記憶部２３は、プログラムやデータなどを記憶するためのものである。記憶部２３は、送信元を識別するための識別情報をあらかじめ記憶している。
【００３２】
入出力部２４は、外部の機器との間で信号やデータをやりとりするためのものである。入出力部２４は、例えば、ＵＳＢ（Universal Serial Bus）規格などのインターフェース（接続端子）を含んで構成することが可能である。入出力部２４には、接続ケーブルを介して情報取得ユニット３０が接続されている。なお、入出力部２４がＵＳＢ規格などのインターフェースを含む場合、入出力部２４を介して電力の授受が可能である。また、Ｂｌｕｅｔｏｏｔｈ（登録商標）やＺｉｇｂｅｅ（登録商標）などの無線通信規格を用いて、外部の機器との間で信号やデータをやりとりしてもよい。
【００３３】
制御部２５は、送信部２２、記憶部２３、および入出力部２４に接続しており、これらの無線送信ユニット２０の各部の動作を制御するためのものである。また、制御部３８は、本実施形態に係る第１情報端末１０の制御方法を使用するため、および、本実施形態に係る第１情報端末１０の制御プログラムを実行するためのものでもある。制御部２５は、無線信号の送信のために必要な処理を行うように構成されている。具体的には、制御部２５は、例えば、記憶部２３から識別情報を読み出し、当該識別情報と制御信号とを送信部２２に出力して送信部２２を駆動するように構成されている。これにより、制御部２５は、送信部２２およびアンテナ２１を用いて、識別情報を含む無線信号を送信することができる。
【００３４】
なお、制御部２５は、例えば、ＣＰＵ(Central Processing Unit)などのプロセッサ、および、ＲＯＭ(Read Only Memory)やＲＡＭ(Random Access Memory)、バッファなどのメモリなどを含んで構成することが可能である。メモリにはあらかじめ無線信号の送信に必要な処理を行うためのプログラムやデータなどが記憶されている。
【００３５】
電源部２６は、送信部２２、記憶部２３、入出力部２４、および制御部２５など、無線送信ユニット２０の各部に電力を供給するためのものである。電源部２６は、例えば、二次電池（充電式電池）を含んで構成することが可能である。電源部２６は、１回の充電で、例えば、３ヶ月程度の間、無線送信ユニット２０を作動させ続けることが可能である。
【００３６】
ここで、無線送信ユニット２０の所定の無線方式は、Ｂｌｕｅｔｏｏｔｈ（登録商標）や無線ＬＡＮ（Local Area Network）などの無線通信方式と比較して、その消費電力が微小であるとともに、受信可能な範囲（最短距離および最長距離の差）が広いという特徴を有する。よって、無線送信ユニット２０は、長期間（長時間）にわたって広範囲に無線信号を送信することが可能になる。
【００３７】
［第１情報端末１０−情報取得ユニット３０の構成］
情報取得ユニット３０は、付加情報を取得するためのものである。付加情報は、無線信号から得られる無線信号情報とともに利用可能な情報である。情報取得ユニット３０は、例えば、スマートフォン、携帯電話機、携帯情報端末（ＰＤＡ）、タブレット端末、携帯ゲーム機、携帯音楽プレーヤ、ウェアラブル端末などの携帯型情報機器を含んで構成することが可能である。情報取得ユニット３０は、アンテナ３１、通信部３２、位置情報取得部３３、記憶部３４、操作部３５、表示部３６、入出力部３７、制御部３８、および電源部３９を備える。また、情報取得ユニット３０は、通信部３２、位置情報取得部３３、記憶部３４、操作部３５、表示部３６、入出力部３７、および制御部３８など、情報取得ユニット３０の各部の間で信号やデータを伝送するためのバス３０ａを備える。
【００３８】
なお、情報取得ユニット３０は、重力センサ、温度センサ、気温センサ、加速度センサなど、各種のデバイス（センサ）をさらに備えていてもよい。
【００３９】
アンテナ３１は、例えば、２．１［ＧＨｚ］帯の電波（電磁波）を放射（輻射）および受波できるように構成されている。
【００４０】
通信部３２は、アンテナ３１に接続している。通信部３２は、例えば、第三世代移動通信システム（３Ｇ）規格や第四世代移動通信システム（４Ｇ）規格などの移動体通信方式に基づいて、通信を行うように構成されている。具体的には、通信部３２は、図１に示した基地局１０１との間で回線を確立して通信を行い、図１に示した通信ネットワーク１０２に接続するように構成されている。通信ネットワーク１０２に接続すると、通信部３２は、位置情報サーバ１０３や第２情報端末５０Ａおよび第２情報端末５０Ａなど、通信ネットワーク１０２に接続している他の機器との間で、データ（情報）を通信（送信および受信）することが可能になる。
【００４１】
位置情報取得部３３は、付加情報の一つとして、情報取得ユニット３０自身の位置に関する位置情報（以下において、適宜、第１情報端末位置情報という）を取得するように構成されている。位置情報取得部３３は、例えば、ＧＰＳ（Global Positioning System）受信機や方位センサ、地磁気センサなどを含んで構成することが可能である。この例の場合、位置情報取得部３３は、ＧＰＳ受信機が、ＧＰＳ衛星からの電波（信号）を受信して情報取得ユニット３０の現在の位置を演算（計算）により求めたり（算出したり）、方位センサや地磁気センサを用いて情報取得ユニット３０の現在の方位（方角）を得たりすることで、第１情報端末位置情報を取得することが可能になる。なお、位置情報取得部３３は、ＧＰＳ受信機や方位センサ、地磁気センサなどのデバイスを含む場合に限定されない。位置情報取得部３３は、例えば無線ＬＡＮルータなどを介して、これらのデバイスから位置情報を取得するようにしてもよい。
【００４２】
記憶部３４は、プログラムやデータなどを記憶するためのものである。記憶部３４は、制御部３７が実行する各種プログラムや、プログラムの実行に必要なデータなどをあらかじめ記憶している。また、記憶部３４は、情報取得ユニット３０の所有者に関する所有者情報を記憶している。所有者情報は、例えば、氏名、年齢、生年月日、性別、血液型、郵便番号、住所、電話番号、メールアドレス、画像（写真）などの情報である。
【００４３】
操作部３５は、利用者（ユーザ）の操作により情報を入力するためのものである。操作部３５は、例えば、キーボード、タッチパネル、ボタンなどを含んで構成することが可能である。この例の場合、利用者（ユーザ）が、キーボード、タッチパネル、ボタンなどを操作したときに、例えば制御部３８が、操作に対応するデータを生成することで、情報取得ユニット３０に情報を入力することが可能になる。
【００４４】
表示部３６は、情報を出力するためのものである。表示部３６は、例えば、液晶ディスプレイ、ＥＬ(Electro Luminescence)ディスプレイ、プラズマディスプレイなどの表示装置を含んで構成することが可能である。この例の場合、表示部３６は、制御部３８から入力される画像データ（静止画像データ）や映像データ（動画像データ）を表示装置に表示することで、情報を出力することが可能になる。
【００４５】
入出力部３７は、外部の機器との間で信号やデータをやりとりするためのものである。入出力部２４は、例えば、ＵＳＢ規格などのインターフェース（接続端子）を含んで構成することが可能である。入出力部３７には、接続ケーブルを介して無線送信ユニット２０が接続されている。なお、入出力部３７がＵＳＢ規格などのインターフェースを含む場合、入出力部３７を介して電力の授受が可能である。また、Ｂｌｕｅｔｏｏｔｈ（登録商標）やＺｉｇｂｅｅ（登録商標）などの無線通信規格を用いて、外部の機器との間で信号やデータをやりとりしてもよい。
【００４６】
［第１情報端末１０−情報取得ユニット３０−制御部３８の構成］
制御部３８は、通信部３２、位置情報取得部３３、記憶部３４、操作部３５、表示部３６、および入出力部３７など、情報取得ユニット３０の各部の動作を制御するためのものである。また、制御部３８は、本実施形態に係る第１情報端末１０の制御方法を使用するため、および、本実施形態に係る第１情報端末１０の制御プログラムを実行するためのものでもある。制御部３８は、その機能構成として、例えば、識別情報制御部３８ａ、位置情報制御部３８ｂ、および登録制御部３８ｃを備える。
【００４７】
識別情報制御部３８ａは、入出力部３７を介して接続される無線送信ユニット２０に、識別情報を要求するリクエスト信号を出力する。無線送信ユニット２０の制御部２５は、このリクエスト信号が入力されると、記憶部２３から識別情報を読み出し、当該識別情報を、入出力部２４を介して情報取得ユニット３０に出力するように構成されている。これにより、識別情報制御部３８ａは、入出力部３７を介して、無線送信ユニット２０の識別情報を取得することができる。識別情報制御部３８ａは、取得した識別情報を、記憶部３４に書き込んで記憶させる。
【００４８】
位置情報制御部３８ｂは、位置情報取得部３３に制御信号を出力して位置情報検出部３３を駆動する。位置情報検出部３３は、制御信号に基づいて第１情報端末位置情報を取得し、取得した第１情報端末位置情報を位置情報制御部３８bに出力する。このように、位置情報制御部３８ｂは、位置情報取得部３３を用いて情報取得ユニット３０自身の位置に関する位置情報（第１情報端末位置情報）を取得することができる。位置情報制御部３８ｂは、取得した第１情報端末位置情報を、記憶部３４に書き込んで記憶させる。
【００４９】
登録制御部３８ｃは、記憶部３４に記憶された識別情報および第１情報端末位置情報を読み出し、当該識別情報および第１情報端末位置情報と、制御信号とを通信部３２に出力して通信部３２を駆動する。通信部３２は、制御信号に基づいて、識別情報および第１情報端末位置情報を位置情報サーバ１０３に送信する。このように、登録制御部３８ｃは、通信部３２を用いて、識別情報および無線送信ユニット２０自身の位置に関する位置情報（第１情報端末位置情報）を送信することができる。位置情報サーバ１０３は、第１情報端末１０から識別情報および第１情報端末位置情報を受信すると、識別情報および第１情報端末位置情報に、例えば、登録日時などのタイムスタンプを付して記憶手段に記憶させて登録する。
【００５０】
本実施携形態では、制御部３８が、機能構成として位置情報制御部３８ａ、位置情報制御部３８ｂ、および登録制御部３８ｃを備える例を示したが、制御部３８が備える機能は、これらの機能のみに限定されない。制御部３８は、例えば、アンテナ３１および通信部３２を介して所定の信号を受信したときに、入出力部３７を介して接続される無線送信ユニット２０に、無線信号の送信を要求するリクエスト信号を出力する機能をさらに備えていてもよい。この場合、無線送信ユニット２０の制御部２５は、このリクエスト信号が入力されると、送信部２２およびアンテナ２１を用いて識別情報を含む無線信号を送信するように構成される。これにより、情報取得ユニット３０が、例えば、第２情報端末５０Ａまたは第２情報端末５０Ｂからの信号を受信したことを契機（トリガー）として、無線送信ユニット２０が無線信号の送信を開始することが可能になる。したがって、制御部３８がかかる機能を備えることにより、無線送信ユニット２０の消費電力をさらに低減することができる。
【００５１】
また、制御部３８は、入出力部３７を介して接続される無線送信ユニット２０に、電源のオンまたはオフを要求するリクエスト信号を出力する機能をさらに備えていてもよい。この場合、無線送信ユニット２０の制御部２５は、このリクエスト信号が入力されると、リクエスト信号に基づいて電源をオンまたはオフするように構成される。これにより、情報取得ユニット３０が、無線送信ユニット２０の電源のオンまたはオフを設定することが可能になる。したがって、制御部３８がかかる機能を備えることにより、無線送信ユニット２０の消費電力をさらに低減することができる。
【００５２】
なお、制御部３８は、例えば、ＣＰＵやＧＰＵ(Graphic Processing Unit)などのプロセッサ、および、ＲＯＭやＲＡＭ、バッファなどのメモリなどを含んで構成することが可能である。一方、制御部３８の各機能は、コンピュータ（マイクロプロセッサ）で実行されるプログラムによって実現することも可能である。したがって、制御部３８が備える各機能は、ハードウェア、ソフトウェア、もしくは、ハードウェアおよびソフトウェアの組み合わせによって実現可能であり、いずれかの場合に限定されない。
【００５３】
また、制御部３８の各機能が、ソフトウェア、もしくは、ハードウェアおよびソフトウェアの組み合わせによって実現される場合、その処理は、マルチタスク、マルチスレッド、もしくは、マルチタスクおよびマルチスレッドの両方で実行可能であり、いずれかの場合に限定されない。
【００５４】
電源部３９は、通信部３２、位置情報取得部３３、記憶部３４、操作部３５、表示部３６、入出力部３７、および制御部３８など、情報取得ユニット３０の各部に電力を供給するためのものである。電源部３９は、例えば、二次電池（充電式電池）を含んで構成することが可能である。情報取得ユニット３０は、その消費電力が、無線送信ユニット２０と比較して相対的に大きく、電源部３９は、１回の充電で、例えば、数日程度の間、情報取得ユニット３０を作動させることが可能である。
【００５５】
なお、制御部３８は、電源部３９から、入出力部３７を介して接続される無線送信ユニット２０に、電力を供給する機能をさらに有していてもよい。この場合、制御部３８は、電源部３９の電力の残量に応じて、例えば、所定割合（所定パーセント）以上の残量ときに、電力を供給する。
【００５６】
本実施形態では、無線送信ユニット２０および情報取得ユニット３０が接続ケーブルを介して接続する例を示したが、これに限定されない。無線送信ユニット２０および情報取得ユニット３０は、例えば、接続ケーブルを介さずに、直接接続されてもよいし、無線送信ユニット２０および情報取得ユニット３０のうちの一方が他方の全部または一部を含んで（取り込んで）内蔵するようにしてもよい。なお、内蔵する場合には、無線送信ユニット２０の電源部２６と情報取得ユニット３０の電源部３９とを、それぞれ備えることが好ましい。これにより、情報取得ユニット３０の電源部３９の電力が尽きても、無線送信ユニット２０は電源部２６によって作動し続けることができる。
【００５７】
［第２情報端末５０Ａの構成］
図３は、図１に示した第２情報端末５０Ａの構成の一例を説明するブロック図である。なお、第２情報端末５０Ｂの構成は、第２情報端末５０Ａの構成と同様であるため、以下において、第２情報端末５０Ａの構成について説明し、第２情報端末５０Ｂの構成は、その説明を省略する。図３に示すように、第２情報端末５０Ａは、無線受信ユニット６０および情報取得ユニット７０を備える。
【００５８】
［第２情報端末５０Ａ−無線受信ユニット６０の構成］
無線受信ユニット６０は、無線送信ユニット２０により送信された無線信号を受信するためのものである。無線受信ユニット６０は、アンテナ６１、受信部６２、記憶部６３、操作部６４、表示部６５、入出力部６６、制御部６７、および電源部６８を備える。
【００５９】
アンテナ６１は、所定の周波数帯の電波（電磁波）を放射（輻射）および受波できるように構成されている。アンテナ６１は、水平面内のあらゆる方向の電波をまんべんなく受信できるように、無指向性を有する（指向性のない）ものが好ましい。
【００６０】
受信部６２は、アンテナ６１に接続している。受信部６２は、無線送信ユニット２０と同一の所定の無線方式に基づいて、アンテナ６１を介して無線信号を受信するように構成されている。上記したように、所定の無線方式に基づく無線信号は、信号の方向および強度を認識可能であり、送信元を識別するための識別情報が含んでいる。受信部６２は、受信した無線信号に対して、例えば、信号増幅、フィルタリング、Ａ／Ｄ変換などの信号処理を施し、信号処理後の無線信号を制御部６７に出力する。また、受信部６２は、例えば、水平面などの所定の面内における電波の方向（到来方向）を探知する電波方向探知装置を含んで構成される。この例の場合、電波方向探知装置が、アンテナ２４により受波された無線信号の方向（到来方向）を探知することで、無線信号の方向を認識することができる。受信部６２は、無線信号の方向を示す方向情報を制御部６７に出力する。
【００６１】
記憶部６３は、プログラムやデータなどを記憶するためのものである。
【００６２】
操作部６４は、利用者（ユーザ）の操作により情報を入力するためのものである。操作部６４は、例えばボタンなどを含んで構成することが可能である。この例の場合、利用者（ユーザ）がボタンなどを操作したときに、例えば制御部６６が、操作に対応するデータを生成することで、無線受信ユニット６０に情報を入力することが可能になる。
【００６３】
表示部６５は、情報を出力するためのものである。表示部６５は、例えば、液晶ディスプレイなどの表示装置を含んで構成することが可能である。この例の場合、表示部６５は、制御部６７から入力される画像データ（静止画像データ）や映像データ（動画像データ）を表示装置に表示することで、情報を出力することが可能になる。
【００６４】
入出力部６６は、外部の機器との間で信号やデータをやりとりするためのものである。入出力部６６は、例えば、ＵＳＢ規格などのインターフェース（接続端子）を含んで構成することが可能である。本実施形態では、入出力部６６に、接続ケーブルを介して情報取得ユニット７０が接続されている。なお、入出力部６６がＵＳＢ規格などのインターフェースを含む場合、入出力部６６を介して電力の授受が可能である。また、Ｂｌｕｅｔｏｏｔｈ（登録商標）やＺｉｇｂｅｅ（登録商標）などの無線通信規格を用いて、外部の機器との間で信号やデータをやりとりしてもよい。
【００６５】
制御部６７は、受信部６２、記憶部６３、操作部６４、表示部６５、および入出力部６６に接続しており、これらの無線受信ユニット６０の各部の動作を制御するためのものである。制御部６７は、無線信号の受信のために必要な処理を行うように構成されている。また、制御部６７は、本実施形態に係る第２情報端末５０Ａの制御方法を使用するため、および、本実施形態に係る第２情報端末５０Ａの制御プログラムを実行するためのものでもある。
【００６６】
具体的には、制御部６７は、例えば、送信部６２に制御信号を出力して送信部６２を駆動するように構成されている。これにより、制御部６７は、アンテナ６１および受信部６２を用いて、識別情報を含む無線信号を受信することができる。また、制御部６７は、送信部６２から入力される無線信号から識別情報を抽出するとともに、無線信号の強度の値（大きさ）に基づいて、無線信号の送信元までの距離を示す距離情報を生成するように構成されている。これらの識別情報および距離情報と、受信部６２から入力される方向情報とは、受信した無線信号から得られる無線信号情報である。このように、制御部６７は、識別情報、距離情報、および方向情報を含む無線信号情報を取得することができる。制御部６７は、この無線信号情報を記憶部６３に書き込んで記憶させる。さらに、制御部６７は、無線信号情報を記憶部６３から読み出し、当該無線信号情報と制御信号とを表示部６５に出力して表示部６５を駆動するように構成されている。これにより、制御部６７は、表示部６５を用いて、無線信号情報を表示することができる。
【００６７】
電源部６８は、受信部６２、記憶部６３、操作部６４、表示部６５、入出力部６６および制御部６７など、無線受信ユニット６０の各部に電力を供給するためのものである。電源部６８は、例えば、二次電池（充電式電池）を含んで構成することが可能である。電源部６８は、１回の充電で、例えば、６ヶ月程度の間、無線受信ユニット６０を作動させ続けることが可能である。
【００６８】
ここで、無線受信ユニット６０の所定の無線方式は、Ｂｌｕｅｔｏｏｔｈ（登録商標）や無線ＬＡＮなどの無線通信方式と比較して、その消費電力が微小であるとともに、受信可能な範囲（最短距離および最長距離の差）が広いという特徴を有する。よって、無線受信ユニット６０は、長期間（長時間）にわたって広範囲に無線信号を受信することが可能になる。
【００６９】
［第２情報端末５０Ａ−情報取得ユニット７０の構成］
情報取得ユニット７０は、付加情報を取得するためのものである。情報取得ユニット７０は、例えば、スマートフォン、携帯電話機、携帯情報端末（ＰＤＡ）、タブレット端末、携帯ゲーム機、携帯音楽プレーヤ、ウェアラブル端末などの携帯型情報機器を含んで構成することが可能である。情報取得ユニット７０は、アンテナ７１、通信部７２、位置情報取得部７３、記憶部７４、操作部７５、表示部７６、入出力部７７、制御部７８、および電源部７９を備える。また、情報取得ユニット７０は、通信部７２、位置情報取得部７３、記憶部７４、操作部７５、表示部７６、入出力部７７、および制御部７８など、情報取得ユニット７０の各部の間で信号やデータを伝送するためのバス７０ａを備える。
【００７０】
なお、情報取得ユニット７０は、重力センサ、温度センサ、気温センサ、加速度センサなど、各種のデバイス（センサ）をさらに備えていてもよい。
【００７１】
アンテナ７１は、例えば、２．１［ＧＨｚ］帯の電波（電磁波）を放射（輻射）および受波できるように構成されている。
【００７２】
通信部７２は、アンテナ７１に接続している。通信部７２は、例えば、第三世代移動通信システム（３Ｇ）規格や第四世代移動通信システム（４Ｇ）規格などの移動体通信方式に基づいて、通信を行うように構成されている。具体的には、通信部７２は、図１に示した基地局１０１との間で回線を確立して通信を行い、図１に示した通信ネットワーク１０２に接続するように構成されている。通信ネットワーク１０２に接続すると、通信部７３は、位置情報サーバ１０３や第１情報端末１０など、通信ネットワーク１０２に接続している他の機器との間で、データを通信（送信および受信）することが可能になる。
【００７３】
位置情報取得部７３は、情報取得ユニット７０自身の位置に関する位置情報（以下において、適宜、第２情報端末位置情報という）を取得するように構成されている。位置情報取得部７３は、例えば、ＧＰＳ受信機や方位センサ、地磁気センサなどを含んで構成することが可能である。この例の場合、位置情報取得部７３は、ＧＰＳ受信機がＧＰＳ衛星からの電波（信号）を受信して情報取得ユニット７０の現在の位置を演算（計算）により求めたり（算出したり）、方位センサや地磁気センサを用いて情報取得ユニット７０の現在の方位（方角）を得たりすることで、第２情報端末位置情報を取得することが可能になる。
【００７４】
記憶部７４は、プログラムやデータを記憶するためのものである。記憶部７４は、制御部７７が実行する各種プログラムや、プログラムの実行に必要なデータなどをあらかじめ記憶している。また、記憶部７４は、情報取得ユニット７０の所有者に関する所有者情報を記憶している。さらに、記憶部７４は、他の情報端末の所有者情報を、例えば、アドレス形式で記憶していてもよい。
【００７５】
操作部７５は、利用者（ユーザ）の操作により情報を入力するためのものである。操作部７５は、例えば、キーボード、タッチパネル、ボタンなどを含んで構成得することが可能である。この例の場合、利用者（ユーザ）が、キーボード、タッチパネル、ボタンなどを操作したときに、例えば制御部７８が、操作に対応するデータを生成することで、情報取得ユニット７０に情報を入力することが可能になる。
【００７６】
表示部７６は、情報を出力するためのものである。表示部７６は、例えば、液晶ディスプレイ、ＥＬディスプレイ、プラズマディスプレイなどの表示装置を含んで構成することが可能である。この例の場合、表示部７６は、制御部７８から入力される画像データ（静止画像データ）や映像データ（動画像データ）を表示装置に表示することで、情報を出力することが可能になる。
【００７７】
入出力部７７は、外部の機器との間で信号やデータをやりとりするためのものである。入出力部２４は、例えば、ＵＳＢ規格などのインターフェース（接続端子）を含んで構成することが可能である。入出力部７７には、接続ケーブルを介して無線受信ユニット６０が接続されている。なお、入出力部７７がＵＳＢ規格などのインターフェースを含む場合、入出力部７７を介して電力の授受が可能である。また、Ｂｌｕｅｔｏｏｔｈ（登録商標）やＺｉｇｂｅｅ（登録商標）などの無線通信規格を用いて、外部の機器との間で信号やデータをやりとりしてもよい。
【００７８】
［第２情報端末５０Ａ−情報取得ユニット７０−制御部７８の構成］
制御部７８は、通信部７２、位置情報取得部７３、記憶部７４、操作部７５、表示部７６、および入出力部７７など、情報取得ユニット７０の各部の動作を制御するためのものである。また、制御部７８は、本実施形態に係る第２情報端末５０Ａの制御方法を使用するため、および、本実施形態に係る第２情報端末５０Ａの制御プログラムを実行するためのものでもある。制御部７８は、その機能構成として、例えば、無線信号情報制御部７８ａ、登録情報制御部７８ｂ、位置情報制御部７８ｃ、位置推定部７８ｄ、登録制御部７８ｅ、および表示制御部７８ｆを備える。
【００７９】
無線信号情報制御部７８ａは、入出力部７７を介して接続される無線受信ユニット６０に、無線信号情報を要求するリクエスト信号を出力する。無線受信ユニット６０の制御部６７は、このリクエスト信号が入力されると、無線信号を受信している場合に、記憶部７３から無線信号情報を読み出し、入出力部６６を介して当該識別情報を情報取得ユニット７０に出力する一方、無線信号を受信していない場合に、入出力部６６を介してデータなしの信号（エラー信号）を情報取得ユニット７０に出力するように構成されている。これにより、無線信号情報制御部７８ａは、無線受信ユニット６０の応答に基づいて、無線受信ユニット６０が無線信号を受信しているか否かを判定することができるとともに、無線信号を受信しているときに、無線信号情報を取得することができる。無線信号情報制御部７８ａは、取得した無線信号情報を、記憶部７４に書き込んで記憶させる。
【００８０】
登録情報制御部７８ｂは、記憶部７４に記憶された無線信号情報のうちの識別情報を読み出し、当該識別情報と、第１情報端末位置情報を要求するリクエストデータと、制御信号とを通信部７２に出力して通信部７２を駆動する。通信部７２は、制御信号に基づいて、識別情報およびリクエストデータを位置情報サーバ１０３に送信する。位置情報サーバ１０３は、このリクエストデータが入力されると、識別情報に基づいて、登録されている第１情報端末位置情報を検索し、第１情報端末位置情報が登録されている場合に、当該第１情報端末位置情報を、リクエストデータの送信元、例えば、第２情報端末５０Ａに送信する。一方、位置情報サーバ１０３は、第１情報端末位置情報が登録されていない場合に、登録なしのデータ（エラーデータ）を第２情報端末５０Ａに送信する。これにより、登録情報制御部７８ｂは、位置情報サーバ１０３の応答に基づいて、第１情報端末位置情報が登録されているか否かを判定することができるとともに、第１情報端末位置情報が登録されているときに、当該第１情報端末位置情報を取得することができる。登録情報制御部７８ｂは、取得した第１情報端末位置情報を、記憶部７４に書き込んで記憶させる。
【００８１】
また、登録情報制御部７８ｂは、他の第２情報端末、例えば、第２情報端末５０Ｂにより登録された無線信号情報および第２情報端末位置情報を取得可能である。すなわち、登録情報制御部７８ｂは、記憶部７４に記憶された無線信号情報のうちの識別情報を読み出し、当該識別情報と、無線信号情報および第２情報端末位置情報を要求するリクエストデータと、制御信号とを通信部７２に出力して通信部７２を駆動する。通信部７２は、制御信号に基づいて、識別情報およびリクエストデータを位置情報サーバ１０３に送信する。位置情報サーバ１０３は、このリクエストデータが入力されると、識別情報に基づいて、登録されている無線信号情報および第２情報端末位置情報を検索し、無線信号情報および第２情報端末位置情報が登録されている場合に、当該無線信号情報および第２情報端末位置情報を、リクエストデータの送信元、例えば、第２情報端末５０Ａに送信する。一方、位置情報サーバ１０３は、無線信号情報および第２情報端末位置情報のデータが登録されていない場合に、登録なしのデータ（エラーデータ）を第２情報端末５０Ａに送信する。これにより、登録情報制御部７８ｂは、位置情報サーバ１０３の応答に基づいて、無線信号情報および第２情報端末位置情報が登録されているか否かを判定することができるとともに、無線信号情報および第２情報端末位置情報が登録されているときに、当該無線信号情報および第２情報端末位置情報を取得することができる。登録情報制御部７８ｂは、取得した無線信号情報および第２情報端末位置情報を、記憶部７４に書き込んで記憶させる。
【００８２】
位置情報制御部７８ｃは、位置情報取得部７３に制御信号を出力して位置情報検出部７３を駆動する。位置情報検出部７３は、制御信号に基づいて第２情報端末位置情報を取得し、取得した第２情報端末位置情報を制御部７８に出力する。これにより、位置情報制御部７８ｃは、位置情報取得部７３を用いて情報取得ユニット７０自身の位置に関する位置情報（第２情報端末位置情報）を取得することができる。位置情報制御部７８ｃは、取得した第２情報端末位置情報を、記憶部７４に書き込んで記憶させる。
【００８３】
位置推定部７８ｄは、無線信号情報制御部７８ａにより取得された無線信号情報、および、位置情報制御部７８ｃにより取得された第２情報端末位置情報を、記憶部７４から読み出し、当該無線信号情報および第２情報端末位置情報に基づいて、無線信号の送信元である第１情報端末１０の位置を推定し、推定された第１情報端末１０の位置を示す推定位置情報を生成する。または、位置推定部７８ｄは、無線信号情報制御部７８ａにより取得された無線信号情報、位置情報制御部７８ｃにより取得された第２情報端末位置情報、ならびに、登録情報制御部７８ｂにより取得された無線信号情報および第２情報端末位置情報を、記憶部７４から読み出し、当該無線信号情報、第２情報端末位置情報、ならびに無線信号情報および第２情報端末位置情報に基づいて、無線信号の送信元である第１情報端末１０の位置を推定し、推定された第１情報端末１０の位置を示す推定位置情報のデータを生成する。位置推定部７８ｄは、生成した推定位置情報を、記憶部７４に書き込んで記憶させる。
【００８４】
登録制御部７８ｅは、無線信号情報制御部７８ａにより取得された無線信号情報、および、位置情報制御部７８ｃにより取得された第２情報端末位置情報を、記憶部７４から読み出し、当該無線信号情報および第２情報端末位置情報と制御信号とを通信部７２に出力して通信部７２を駆動する。通信部７２は、制御信号に基づいて、無線信号情報および第２情報端末位置情報を位置情報サーバ１０３に送信する。このように、登録制御部７８ｅは、通信部７２を用いて、無線信号情報および情報取得ユニット７０自身の位置に関する位置情報（第２情報端末位置情報）を送信することができる。位置情報サーバＳ１は、第２情報端末５０Ａから無線信号情報および第２情報端末位置情報を受信すると、当該無線信号情報および第２情報端末位置情報に、例えば、登録日時などのタイムスタンプを付して記憶手段に記憶させて登録する。
【００８５】
表示制御部７８ｆは、登録情報制御部７８ｂにより取得された第１情報端末位置情報を記憶部７４から読み出し、当該第１情報端末位置情報と制御信号とを表示部７６に出力して表示部７６を駆動する。表示部７６は、制御信号に基づいて、第１情報端末位置情報を表示装置などに表示する。または、表示制御部７８ｆは、位置推定部７８ｄにより生成された推定位置情報を記憶部７４から読み出し、当該推定位置情報と制御信号とを表示部７６に出力して表示部７６を駆動する。表示部７６は、制御信号に基づいて、推定位置情報を表示装置などに表示する。
【００８６】
本実施携形態では、制御部７８が、機能構成として無線信号情報制御部７８ａ、登録情報制御部７８ｂ、位置情報制御部７８ｃ、位置推定部７８ｄ、登録制御部７８ｅ、および表示制御部７８ｆを備える例を示したが、制御部７８が備える機能は、これらの機能のみに限定されず、他の機能をさらに備えていてもよい。
【００８７】
なお、制御部７８は、例えば、ＣＰＵやＧＰＵなどのプロセッサ、および、ＲＯＭやＲＡＭ、バッファなどのメモリなどを含んで構成することが可能である。一方、制御部７８の各機能は、コンピュータ（マイクロプロセッサ）で実行されるプログラムによって実現することも可能である。したがって、制御部７８が備える各機能は、ハードウェア、ソフトウェア、もしくは、ハードウェアおよびソフトウェアの組み合わせによって実現可能であり、いずれかの場合に限定されない。
【００８８】
また、制御部７８の各機能が、ソフトウェア、もしくは、ハードウェアおよびソフトウェアの組み合わせによって実現される場合、その処理は、マルチタスク、マルチスレッド、もしくは、マルチタスクおよびマルチスレッドの両方で実行可能であり、いずれかの場合に限定されない。
【００８９】
電源部７９は、通信部７２、位置情報取得部７３、記憶部７４、操作部７５、表示部７６、入出力部７７、および制御部７８など、情報取得ユニット７０の各部に電力を供給するためのものである。電源部７９は、例えば、二次電池（充電式電池）を含んで構成することが可能である。情報取得ユニット７０は、その消費電力が、無線受信ユニット６０と比較して相対的に大きく、電源部７９は、１回の充電で、例えば、数日程度の間、情報取得ユニット７０を作動させることが可能である。
【００９０】
本実施形態では、無線受信ユニット６０および情報取得ユニット７０が、接続ケーブルを介して接続する例を示したが、これに限定されない。無線受信ユニット６０および情報取得ユニット７０は、例えば、接続ケーブルを介さずに、直接接続されていてもよいし、無線受信ユニット６０および情報取得ユニット７０のうちの一方が他方の全部または一部を含んで（取り込んで）内蔵するようにしてもよい。内蔵する場合には、無線受信ユニット６０の電源部６８と情報取得ユニット７０の電源部７９とを、それぞれ備えることが好ましい。これにより、情報取得ユニット７０の電源部７９の電力が尽きても、無線受信ユニット６０は電源部６８によって作動し続けることができる。
【００９１】
［第１情報端末１０の動作］
次に、本実施形態に係る第１情報端末１０の制御方法および第１情報端末１０の制御プログラムについて説明する。
【００９２】
なお、上記したように、第１情報端末１０は、被捜索者（捜索対象者）が所持するものとして説明する。
【００９３】
図４は、図１および図２に示した第１情報端末１０の動作の一例を説明するフローチャートである。第１情報端末１０の無線送信ユニット２０は、例えば、電源が投入されて起動すると、送信部２２がアンテナ２１を介して所定の無線方式に基づく無線信号を周期的に、または、非周期的に送信する。一方、第１情報端末１０の情報取得ユニット３０は、例えば、利用者（ユーザ）が操作部３５を用いて所定の操作をすると、制御部３８が図４に示す位置情報登録処理Ｓ１０を実行する。
【００９４】
最初に、第１情報端末１０の識別情報制御部３８ａは、入出力部３７を介して、無線送信ユニット２０から識別情報を取得し（Ｓ１１）、記憶部３４に記憶させる。
【００９５】
なお、第１情報端末１０の識別情報制御部３８ａは、例えば、入出力部３７に無線送信ユニット２０が接続されたときに無線送信ユニット２０から識別情報を取得しておき、位置情報登録処理Ｓ１０の実行前にあらかじめ記憶部３４に記憶させるようにしてもよい。
【００９６】
次に、第１情報端末１０の位置情報制御部３８ｂは、位置情報取得部３３を用いて自身の位置情報（第１情報端末位置情報）を取得する（Ｓ１２）。このように、第１情報端末位置情報、すなわち、付加情報を取得することにより、例えば、通信部３２を用いて送信することで、情報取得ユニット３０が取得した付加情報を捜索者に知らせることが可能になる。
【００９７】
次に、第１情報端末１０の登録制御部３８ｃは、記憶部３４から識別情報および第１情報端末位置情報を読み出し、通信部３２を用いて、識別情報および第１情報端末位置情報を位置情報サーバＳ１０３に送信する（Ｓ１３）。これにより、第１情報端末１０の識別情報および位置情報（第１情報端末位置情報）が位置情報サーバＳ１０３に登録される。
【００９８】
Ｓ１３のステップの後、第１情報端末１０の制御部３８は、位置情報登録処理Ｓ１０を終了する。
【００９９】
本実施形態では、情報取得ユニット３０が識別情報および第１情報端末位置情報を位置情報サーバ１０３に送信する例を示したが、これに限定されない。情報取得ユニット３０は、識別情報および第１情報端末位置情報を、例えば、ＳＭＳ（Short Message Service）などにより、第２情報端末５０Ａおよび第２情報端末５０Ｂのうちの少なくとも一方に送信するようにしてもよい。
【０１００】
このように、付加情報として第１情報端末位置情報を取得し、当該第１情報端末位置情報を送信することにより、情報取得ユニット３０が取得した自身の位置情報（第１情報端末位置情報）を捜索者に知らせることが可能になる。
【０１０１】
なお、第１情報端末１０が動作を開始する契機は、上記した例に限定されない。第１情報端末１０は、例えば、手動、時間経過、ＳＭＳや緊急地震速報の受信、ＴＣＰ／ＩＰやＨＴＴＰなどの通信での指示、などを契機として動作を開始してもよい。
【０１０２】
［第２情報端末５０Ａの動作］
次に、本実施形態に係る第２情報端末５０Ａおよび第２情報端末５０Ｂの制御方法および第２情報端末５０Ａおよび第２情報端末５０Ｂの制御プログラムについて説明する。なお、第２情報端末５０Ｂの動作は、第２情報端末５０Ａの動作と同様であるため、以下において、第２情報端末５０Ａの動作について説明し、第２情報端末５０Ｂの動作は、その説明を省略する。
【０１０３】
なお、上記したように、第２情報端末５０Ａは、二人の捜索者のうちの一方が所持するものとして説明する。
【０１０４】
図５は、図１および図３に示した第２情報端末５０Ａの動作の一例を説明するフローチャートである。第２情報端末５０Ａの無線受信ユニット６０は、例えば、起動中に、受信部６２がアンテナ６１を介して無線信号を受信し、制御部６７が無線信号から得られる無線信号情報を記憶部６３に書き込んで記憶させる。一方、第２情報端末５０Ａの情報取得ユニット７０は、例えば、操作部７５に対して利用者（ユーザ）が所定の操作をすると、制御部７８が図５に示す位置情報取得処理Ｓ５０を実行する。
【０１０５】
最初に、第２情報端末５０Ａの無線信号情報制御部７８ａは、入出力部７７を介して無線受信ユニット６０に、無線信号情報を要求するリクエスト信号を出力し、無線受信ユニット６０が無線信号を受信しているか否かを判定する（Ｓ５１）。第２情報端末５０Ａの無線信号情報制御部７８ａは、無線受信ユニット６０が無線信号を受信するまでＳ５１のステップを繰り返す。
【０１０６】
Ｓ５１の判定の結果、無線受信ユニット６０が無線信号を受信している場合、第２情報端末５０Ａの無線信号情報制御部７８ａは、無線受信ユニット６０から無線信号情報を取得し（Ｓ５２）、記憶部７４に記憶させる。
【０１０７】
次に、第２情報端末５０Ａの登録情報制御部７８ｂは、記憶部７４に記憶された無線信号情報のうちの識別情報を読み出し、送信部７２を用いて当該識別情報およびリクエストデータを位置情報サーバ１０３に送信し、位置情報サーバ１０３に第１情報端末１０の位置情報（第１情報端末位置情報）が登録されているか否かを判定する（Ｓ５３）。
【０１０８】
Ｓ５３の判定の結果、第１情報端末位置情報が登録されている場合、第２情報端末５０Ａの登録情報制御部７８ｂは、位置情報サーバ１０３から第１情報端末位置情報を取得し（Ｓ５４）、記憶部７４に記憶させる。
【０１０９】
一方、Ｓ５３の判定の結果、第１情報端末位置情報が登録されていない場合、例えば、第１情報端末１０において、利用者（ユーザ）が情報取得ユニット３０の操作部３５に対して所定の操作を行っていない（未操作）、無線送信ユニット１０と情報取得ユニット３０とが接続されていない（未接続）、情報取得ユニット３０の電源部３９の電力が尽きている（電力切れ）、情報取得ユニット３０が故障している、第１情報端末１０の周辺に基地局１０１がない、あるいは、第１情報端末１０の周辺に基地局１０１が故障している、などが考えられる。そのため、第２情報端末５０Ａの情報取得ユニット７０が、第１情報端末１０の位置に関する位置情報（第１情報端末位置情報）を取得することは困難である。
【０１１０】
よって、第２情報端末５０Ａの登録情報制御部７８ｂは、記憶部７４に記憶された無線信号情報のうちの識別情報を読み出し、送信部７２を用いて当該識別情報およびリクエストデータを位置情報サーバ１０３に送信し、位置情報サーバ１０３に他の第２情報端末の無線信号情報および位置情報（第２情報端末位置情報）が登録されているか否かを判定する（Ｓ５５）。
【０１１１】
Ｓ５５の判定の結果、無線信号情報および第２情報端末位置情報が登録されている場合、第２情報端末５０Ａの登録情報制御部７８ｂは、位置情報サーバ１０３から無線信号情報および第２情報端末位置情報を取得し（Ｓ５６）、記憶部７４に記憶させる。
【０１１２】
一方、Ｓ５５の判定の結果、無線信号情報および第２情報端末位置情報が登録されていない場合、例えば、第２情報端末５０Ｂにおいて、利用者（ユーザ）が情報取得ユニット７０の操作部７５に対して所定の操作を行っていない（未操作）、無線受信ユニット６０が無線信号を受信していない（未受信）、無線受信ユニット６０と情報取得ユニット７０とが接続されていない（未接続）、情報取得ユニット７０の電源部７９の電力が尽きている（電力切れ）、情報取得ユニット７０が故障している、第２情報端末５０Ｂの周辺に基地局１０１がない、あるいは、第２情報端末５０Ｂの周辺の基地局１０１が故障している、などが考えられる。そのため、第２情報端末５０Ａの情報取得ユニット７０が、第２情報端末５０Ｂの無線信号情報および第２情報端末位置情報を取得することは困難である。よって、この場合、第２情報端末５０Ａの制御部７８は、Ｓ５６のステップを行わない。
【０１１３】
Ｓ５５の判定の結果、無線信号情報および第２情報端末位置情報が登録されていない場合、または、Ｓ５６のステップの後、第２情報端末５０Ａの位置情報制御部７８ｃは、位置情報取得部７３を用いて自身の位置情報（第２情報端末位置情報）を取得する（Ｓ５７）。
【０１１４】
このように、第２情報端末位置情報、すなわち、付加情報を取得することにより、情報取得ユニット７０は、無線受信ユニット６０により受信された無線信号から得られる無線信号情報とともに、付加情報を得ることが可能になる。
【０１１５】
また、付加情報として第２情報端末位置情報を取得することにより、情報取得ユニット７０は、無線受信ユニット６０により受信された無線信号から得られる無線信号情報とともに、自身の位置情報（第２情報端末位置情報）を得ることが可能になる。
【０１１６】
次に、第２情報端末５０Ａの位置推定部７８ｄは、無線信号の送信元である第１情報端末１０の位置を推定して推定位置情報を生成し（Ｓ５８）、記憶部７４に記憶させる。
【０１１７】
具体的には、Ｓ５６のステップにおいて、位置情報サーバ１０３から無線信号情報および第２情報端末位置情報を取得していない場合、すなわち、位置情報サーバ１０３に無線信号情報および第２情報端末位置情報が登録されていない場合、第２情報端末５０Ａの位置推定部７８ｄは、Ｓ５２のステップにおいて取得された無線信号情報、および、Ｓ５７のステップにおいて取得された第２情報端末位置情報に基づいて、第１情報端末１０の位置を推定する。一例として、Ｓ５２のステップにおいて取得した無線信号情報に含まれる方向情報および距離情報が、南の方向に２００［ｍ］を表している場合を考える。この無線信号情報の基となる無線信号を受信した第２情報端末５０Ａの位置は、Ｓ５７のステップにおいて取得した第２情報端末位置情報から分かる。よって、第２情報端末５０Ａの位置推定部７８ｄは、第２情報端末５０Ａの位置である第２情報端末位置情報の示す位置から南の方向に２００［ｍ］の位置（座標）を、無線信号の送信元である第１情報端末１０の位置であると推定し、当該位置を示す推定位置情報を生成する。
【０１１８】
また、Ｓ５６のステップにおいて、位置情報サーバ１０３から無線信号情報および第２情報端末位置情報を取得している場合、すなわち、位置情報サーバ１０３に無線信号情報および第２情報端末位置情報が登録されている場合、第２情報端末５０Ａの位置推定部７８ｄは、Ｓ５２のステップにおいて取得された無線信号情報、および、Ｓ５７のステップにおいて取得された第２情報端末位置情報、ならびに、Ｓ５６のステップにおいて取得された無線信号情報および第２情報端末位置情報に基づいて、第１情報端末１０の位置を推定する。一例として、Ｓ５２のステップにおいて取得した無線信号情報に含まれる方向情報および距離情報が、南の方向に２００［ｍ］を表している場合を考える。この無線信号情報の基となる無線信号を受信した第２情報端末５０Ａの位置は、Ｓ５７のステップにおいて取得した第２情報端末位置情報から分かる。一方、Ｓ５６のステップにおいて取得された無線信号情報に含まれる方向情報および距離情報が、例えば、北の方向に１００［ｍ］を表している場合を考える。この無線信号情報の基となる無線信号を受信した他の第２情報端末、例えば、第２情報端末５０Ｂの位置は、同じくＳ５６のステップにおいて取得した第２情報端末位置情報から分かる。よって、第２情報端末５０Ａの位置推定部７８ｄは、第２情報端末５０Ａの位置であるＳ５７のステップにおいて取得した第２情報端末位置情報の示す位置から南の方向に２００［ｍ］の位置（座標）と、第２情報端末５０Ｂの位置であるＳ５６のステップにおいて取得した第２情報端末位置情報の示す位置から北の方向に１００［ｍ］の位置（座標）との交点を、無線信号の送信元である第１情報端末１０の位置であると推定し、当該交点の位置を示す推定位置情報を生成する。
【０１１９】
次に、第２情報端末５０Ａの登録制御部７８ｅは、通信部７２を用いて、Ｓ５２のステップにおいて取得された無線信号情報、および、Ｓ５７のステップにおいて取得された第２情報端末位置情報を、位置情報サーバＳ１０３に送信する（Ｓ５９）。
【０１２０】
Ｓ５４のステップ、または、Ｓ５９のステップの後、第２情報端末５０Ａの表示制御部７８ｆは、表示部７６を用いて、Ｓ５４のステップにおいて取得した第１情報端末位置情報、または、Ｓ５８のステップにおいて生成した推定位置情報を表示する（Ｓ６０）。
【０１２１】
なお、第２情報端末５０Ａの表示制御部７８ｆは、第１情報端末位置情報または推定位置情報とともに、地図に関する地図情報を表示するようにしてもよい。すなわち、第２情報端末５０Ａの情報取得ユニット７０は、あらかじめ、または、位置情報取得処理Ｓ５０と並行して、地図情報を取得しておき、第２情報端末５０Ａの表示制御部７８ｆは、表示部７６を用いて、第１情報端末位置情報または推定位置情報を、当該地図情報に重ねて表示する。これにより、捜索者は、被捜索者（捜索対象者）の位置を、地図上で確認することが可能になる。
【０１２２】
Ｓ６０のステップの後、第２情報端末５０Ａの制御部７８は、位置情報取得処理Ｓ５０を終了する。
【０１２３】
なお、第２情報端末５０Ａが動作を開始する契機は、上記した例に限定されない。第２情報端末５０Ａは、例えば、手動、時間経過、ＳＭＳや緊急地震速報の受信、ＴＣＰ／ＩＰやＨＴＴＰなどの通信での指示、ウェアラブルデバイスなどのその他の連携機器からの情報更新通知の受信、などを契機として動作を開始してもよい。
【０１２４】
本実施形態では、第２情報端末５０Ａの情報取得ユニット７０が第１情報端末１０の位置を推定する例を示したが、これに限定されない。例えば、第２情報端末５０Ａの情報取得ユニット７０は、位置の推定に必要な情報を位置情報サーバＳ１０３に送信し、位置情報サーバＳ１０３が第１情報端末１０の位置を推定して第２情報端末５０Ａに送信するようにしてもよい。
【０１２５】
また、本実施形態では、通信システム１００が１つの第１情報端末１０を備える例を示したが、これに限定されない。通信システム１００は、例えば、複数の第１情報端末１０は備えていてもよい。この場合、第２情報端末５０Ａおよび第２情報端末５０Ｂは、無線信号に含まれる識別情報に基づいて、複数の第１情報端末１０を識別可能である。さらに、本実施形態では、通信システム１００が２つの第２情報端末５０Ａおよび第２情報端末５０Ｂを備える例を示したが、これに限定されない。通信システム１００は、例えば、１つの第２情報端末は備えていてもよいし、３つ以上の第２情報端末を備えていてもよい。
【０１２６】
このように、本実施形態の第１情報端末１０、第１情報端末１０の制御方法、および第１情報端末１０の制御プログラムによれば、無線送信ユニット２０が、所定の無線方式に基づいて、識別情報を含む無線信号を送信する。ここで、無線送信ユニット２０の所定の無線方式は、Ｂｌｕｅｔｏｏｔｈ（登録商標）や無線ＬＡＮなどの無線通信方式と比較して、その消費電力が微小であるとともに、受信可能な範囲（最短距離および最長距離の差）が広いという特徴を有する。よって、無線送信ユニット２０は、長期間（長時間）にわたって広範囲に無線信号を送信することが可能になる。したがって、第１情報端末１０は、長期間（長時間）にわたって広範囲の捜索者に自己の存在を知らせることができ、捜索者が第１情報端末１０を発見する確率を高めることができる。また、情報取得ユニット３０が、無線信号から得られる無線信号情報とともに利用可能な付加情報を取得する。これにより、例えば、通信部３２を用いて送信することで、情報取得ユニット３０が取得した付加情報を捜索者に知らせることが可能になる。したがって、第１情報端末１０は、無線信号から得られる無線信号情報とともに利用可能で、捜索に有益な情報となる付加情報を、捜索者に提供することができる。
【０１２７】
また、情報取得ユニット３０が、付加情報の一つとして、第１情報端末位置情報を取得し、第１情報端末位置情報は通信部３２を用いて送信される。これにより、情報取得ユニット３０が取得した自身の位置情報（第１情報端末位置情報）を捜索者に知らせることが可能になる。したがって、第１情報端末１０は自身の正確な位置を捜索者に提供することができ、捜索者は、短時間で第１情報端末１０を発見することができる。
【０１２８】
また、本実施形態の第２情報端末５０Ａおよび第２情報端末５０Ｂ、第２情報端末５０Ａおよび第２情報端末５０Ｂの制御方法、ならびに第２情報端末５０Ａおよび第２情報端末５０Ｂの制御プログラムによれば、無線受信ユニット６０が、所定の無線方式に基づいて、識別情報を含む無線信号を受信する。ここで、無線受信ユニット６０の所定の無線方式は、Ｂｌｕｅｔｏｏｔｈ（登録商標）や無線ＬＡＮなどの無線通信方式と比較して、その消費電力が微小であるとともに、受信可能な範囲（最短距離および最長距離の差）が広いという特徴を有する。よって、無線受信ユニット６０は、長期間（長時間）にわたって広範囲に無線信号を受信することが可能になる。したがって、第２情報端末５０Ａおよび第２情報端末５０Ｂは、長期間（長時間）にわたって広範囲に被捜索者（捜索対象者）を捜索することができ、被捜索者（捜索対象者）を発見する確率を高めることができる。また、情報取得ユニット７０が、無線信号から得られる無線信号情報とともに利用可能な付加情報を取得する。これにより、情報取得ユニット７０は、無線受信ユニット６０により受信された無線信号から得られる無線信号情報とともに、付加情報を得ることが可能になる。したがって、第２情報端末５０Ａおよび第２情報端末５０Ｂは、無線信号情報とともに利用可能で、捜索に有益な情報となる付加情報に基づいて、被捜索者（捜索対象者）を捜索することができる。
【０１２９】
また、情報取得ユニット７０が、付加情報の一つとして、第２情報端末位置情報を取得する。これにより、情報取得ユニット７０は、無線受信ユニット６０により受信された無線信号から得られる無線信号情報とともに、自身の位置情報（第２情報端末位置情報）を得ることが可能になる。したがって、第２情報端末５０Ａおよび第２情報端末５０Ｂは、無線信号情報と第２情報端末位置情報とに基づいて、被捜索者（捜索対象者）の位置を高精度に推定することができ、短時間で被捜索者（捜索対象者）を発見することができる。
【０１３０】
また、本実施形態の情報システム１００によれば、複数の第２情報端末５０Ａおよび第２情報端末５０Ｂを備える。これにより、第１情報端末１０の位置情報（第１情報端末位置情報）、または、推定された第１情報端末１０の位置情報（推定位置情報）の精度を、さらに向上させることが可能になる。
【０１３１】
＜第２実施形態＞
図６ないし図８は、本発明に係る情報端末、情報端末の制御方法、および情報端末の制御プログラムの第２実施形態を示すためのものである。なお、特に記載がない限り、前述した第１実施形態と同一構成部分は同一符号をもって表し、その説明を省略する。また、前述した第１実施形態と類似する構成部分は類似の符号をもって表し、その詳細な説明を省略する。さらに、図示しない構成部分および動作は、前述した第１実施形態と同様とする。
【０１３２】
図６は、第２実施形態における通信システム１１０の概略構成の一例を説明する構成図である。図６に示すように、通信システム１１０は、複数の基地局１０１、通信ネットワーク１０２、所有者情報サーバ１０４、第１情報端末１０Ａ、第１情報端末１０Ｂ、および、第２情報端末５０Ｃを備える。なお、第１情報端末１０Ａおよび第１情報端末１０Ｂは、第１実施形態の第１情報端末１０と同様であるため、その説明を省略する。
【０１３３】
本実施形態では、説明の便宜上、二人の被捜索者（捜索対象者）のうちの一方が第１情報端末１０Ａを所持し、他方が第１情報端末１０Ｂを所持するとともに、捜索者が第２情報端末５０Ｃを所持するものとして説明する。
【０１３４】
所有者情報サーバ１０４は、情報端末の所有者に関する所有者情報を登録するためのサーバである。所有者情報サーバ１０４には、識別情報とともに所有者情報が登録される。本実施形態では、第１情報端末１０Ａの識別情報および所有者情報（以下において、適宜、第１情報端末所有者情報という）と、第１情報端末１０Ｂの識別情報および所有者情報（第１情報端末所有者情報）とがあらかじめ登録されている。
【０１３５】
なお、所有者情報サーバ１０４は、識別情報および所有者情報とともに、情報の開示範囲を示す開示範囲情報を登録可能にしてもよい。この場合、所有者情報サーバ１０４は、当該開示範囲情報に基づく条件を満たす利用者（ユーザ）からの要求（リクエスト）にのみ所有者情報を送信し、所有者情報の開示範囲を制限（限定）する。
【０１３６】
［第２情報端末５０Ｃの構成］
図７は、図６に示した第２情報端末５０Ｃの構成の一例を説明するブロック図である。図６に示すように、第２情報端末５０Ｃは、無線受信ユニット６０および情報取得ユニット７０を備える。
【０１３７】
［第２情報端末５０Ｃ−情報取得ユニット７０−制御部７８の機能構成］
制御部７８は、その機能構成として、例えば、無線信号情報制御部７８ａ、所有者情報制御部７８ｇ、および表示制御部７８ｈを備える。
【０１３８】
所有者情報制御部７８ｇは、記憶部７４に記憶された無線信号情報のうちの識別情報を読み出し、当該識別情報と、他の情報端末の所有者情報（第１情報端末所有者情報）を要求するリクエストデータと、制御信号とを通信部７２に出力して通信部７２を駆動する。通信部７２は、制御信号に基づいて、識別情報およびリクエストデータを所有者情報サーバ１０４に送信する。所有者情報サーバ１０４は、このリクエストデータが入力されると、識別情報に基づいて、登録されている第１情報端末所有者情報を検索し、第１情報端末所有者情報が登録されている場合に、当該第１情報端末所有者情報を、リクエストデータの送信元である第２情報端末５０Ｃに送信する。一方、所有者情報サーバ１０４は、第１情報端末所有者情報が登録されていない場合に、登録なしのデータ（エラーデータ）を第２情報端末５０Ｃに送信する。これにより、所有者情報制御部７８ｇは、所有者情報サーバ１０４の応答に基づいて、第１情報端末所有者情報が登録されているか否かを判定することができるとともに、所有者情報が登録されているときに、当該第１情報端末所有者情報を取得することができる。所有者情報制御部７８ｇは、取得した第１情報端末所有者情報を、記憶部７４に書き込んで記憶させる。
【０１３９】
表示制御部７８ｆは、無線信号情報制御部７８ａにより取得された無線信号情報と、所有者情報制御部７８ｇにより取得された第１情報端末所有者情報とを記憶部７４から読み出し、当該無線信号情報および第１情報端末所有者情報と制御信号とを表示部７６に出力して表示部７６を駆動する。表示部７６は、制御信号に基づいて、無線信号情報および第１情報端末所有者情報を表示装置などに表示する。
【０１４０】
［第２情報端末５０Ｃの動作］
次に、本実施形態に係る第２情報端末５０Ｃの制御方法および第２情報端末５０Ｃの制御プログラムについて説明する。
【０１４１】
なお、上記したように、第２情報端末５０Ｃは、捜索者が所持するものとして説明する。
【０１４２】
図８は、図６および図７に示した第２情報端末５０Ｃの動作の一例を説明するフローチャートである。第２情報端末５０Ｃの無線受信ユニット６０は、例えば、起動中に、受信部６２がアンテナ６１を介して無線信号を受信し、制御部６７が無線信号から得られる無線信号情報を記憶部６３に書き込んで記憶させる。一方、第２情報端末５０Ｃの情報取得ユニット７０は、例えば、操作部３５に対して利用者（ユーザ）が所定の操作をすると、制御部７８が図７に示す所有者情報取得処理Ｓ７０を実行する。
【０１４３】
最初に、第２情報端末５０Ｃの無線信号情報制御部７８ａは、入出力部７７を介して無線受信ユニット６０に、無線信号情報を要求するリクエスト信号を出力し、無線受信ユニット６０が無線信号を受信しているか否かを判定する（Ｓ５１）。第２情報端末５０Ｃの無線信号情報制御部７８ａは、無線受信ユニット６０が無線信号を受信するまでＳ５１のステップを繰り返す。
【０１４４】
Ｓ５１の判定の結果、無線受信ユニット６０が無線信号を受信している場合、第２情報端末５０Ｃの無線信号情報制御部７８ａは、無線受信ユニット６０から無線信号情報を取得し（Ｓ５２）、記憶部７４に記憶させる。
【０１４５】
次に、第２情報端末５０Ｃの所有者情報制御部７８ｇは、記憶部７４に記憶された無線信号情報のうちの識別情報を読み出し、送信部７２を用いて当該識別情報およびリクエストデータを所有者情報サーバ１０４に送信し、所有者情報サーバ１０４に第１情報端末の所有者情報（第１情報端末所有者情報）が登録されているか否かを判定する（Ｓ７１）。
【０１４６】
Ｓ７１の判定の結果、第１情報端末所有者情報が登録されている場合、第２情報端末５０Ｃの所有者情報制御部７８ｇは、通信部７２を用いて位置情報サーバ１０３から第１情報端末位置情報を取得し（Ｓ７２）、記憶部７４に記憶させる。
【０１４７】
このように、通信部７２を用いて、付加情報として、他の情報端末の所有者情報を取得することにより、情報取得ユニット７０は、無線受信ユニット６０により受信された無線信号から得られる無線信号情報とともに、第１情報端末の所有者情報（第１情報端末所有者情報）を得ることが可能になる。
【０１４８】
一方、Ｓ７１の判定の結果、第１情報端末所有者情報が登録されていない場合、第２情報端末５０Ｃの制御部７８は、所有者情報取得処理Ｓ７０を終了する。
【０１４９】
Ｓ７２のステップの後、第２情報端末５０Ｃの表示制御部７８ｈは、Ｓ５２のステップにおいて取得した無線信号情報、および、Ｓ７２のステップにおいて取得した第１情報端末所有者情報を、表示部７６を用いて表示する（Ｓ７３）。
【０１５０】
Ｓ７３のステップの後、第２情報端末５０Ｃの制御部７８は、所有者情報取得処理Ｓ７０を終了する。
【０１５１】
本実施形態では、通信システム１１０が２つの第１情報端末１０Ａおよび第１情報端末１０Ｂを備える例を示したが、これに限定されない。通信システム１１０は、例えば、１つの第１情報端末は備えていてもよいし、３つ以上の第１情報端末を備えていてもよい。また、本実施形態では、通信システム１１０が１つの第２情報端末５０Ｃを備える例を示したが、これに限定されない。通信システム１１０は、例えば、複数の第２情報端末は備えていてもよい。
【０１５２】
このように、本実施形態の第２情報端末５０Ｃ、第２情報端末５０Ｃの制御方法、および第２情報端末５０Ｃの制御プログラムによれば、情報取得ユニット７０が、通信部７２を用いて、付加情報の一つとして、第１情報端末所有者情報を取得する。これにより、情報取得ユニット７０は、無線受信ユニット６０により受信された無線信号から得られる無線信号情報とともに、第１情報端末の所有者情報（第１情報端末所有者情報）を得ることが可能になる。したがって、第２情報端末５０Ｃは、無線信号情報と第１情報端末所有者情報とに基づいて、複数の被捜索者（捜索対象者）のうち、捜索の優先度（優先順位）を決めることができる。
【０１５３】
＜第３実施形態＞
図９ないし図１３は、本発明に係る情報端末、情報端末の制御方法、および情報端末の制御プログラムの第３実施形態を示すためのものである。なお、特に記載がない限り、前述した第１実施形態および第２実施形態のうちの少なくとも一つと同一構成部分は同一符号をもって表し、その説明を省略する。また、前述した第１実施形態および第２実施形態のうちの少なくとも一つと類似する構成部分は類似の符号をもって表し、その詳細な説明を省略する。さらに、図示しない構成部分および動作は、前述した第１実施形態と同様とする。
【０１５４】
図９は、第３実施形態における通信システム１２０の概略構成の一例を説明する構成図である。図９に示すように、通信システム１２０は、複数の基地局１０１、通信ネットワーク１０２、識別情報管理サーバ１０５、第１情報端末１０Ｃおよび第１情報端末１０Ｄ、ならびに、第２情報端末５０Ｄを備える。
【０１５５】
本実施形態では、説明の便宜上、二人の被捜索者（捜索対象者）のうちの一方が第１情報端末１０Ｃを所持し、他方が第１情報端末１０Ｄを所持するとともに、捜索者が第２情報端末５０Ｄを所持するものとして説明する。
【０１５６】
識別情報管理サーバ１０５は、情報端末の識別情報を管理するためのサーバである。識別情報管理サーバ１０５には、識別情報が登録されており、識別情報は必要に応じて更新または削除される。本実施形態では、第１情報端末１０Ｃの識別情報と、第１情報端末１０Ｄの識別情報とがあらかじめ登録されている。
【０１５７】
なお、識別情報管理サーバ１０５は、識別情報とともに、情報の権原を示す権限情報を登録可能にしてもよい。この場合、識別情報管理サーバ１０５は、当該権限情報に基づく条件を満たす利用者（ユーザ）からの要求（リクエスト）にのみ識別情報の更新または削除を許可する。
【０１５８】
［第２情報端末５０Ｄの構成］
図１０は、図９に示した第２情報端末５０Ｄの構成の一例を説明するブロック図である。図１０に示すように、第２情報端末５０Ｄは、無線受信ユニット６０および情報取得ユニット７０を備える。
【０１５９】
本実施形態では、記憶部７４は、第１情報端末１０Ｃの所有者情報および第１情報端末１０Ｄの所有者情報のうちの少なくとも一方を記憶している。
【０１６０】
［第２情報端末５０Ｄ−情報取得ユニット７０−制御部７８の機能構成］
制御部７８は、その機能構成として、例えば、無線信号情報制御部７８ａ、識別情報判定部７８ｉ、識別情報制御部７８ｊ、および識別情報更新部７８ｋを備える。
【０１６１】
識別情報判定部７８ｉは、記憶部７４に記憶された無線信号情報うちの識別情報を読み出し、無線信号情報制御部７８ａにより取得された無線信号情報のうちの識別情報が、以前に取得され、登録された識別情報と一致するか否かを判定する。
【０１６２】
識別情報制御部７８ｊは、一致した識別情報のうちの一方の識別情報を新たな識別情報に変更させる。すなわち、識別情報制御部７８ｊは、一致した識別情報のうちの一方の識別情報に関連づけられた他の情報端末の所有者情報を読み出し、例えば、他の情報端末の所有者情報のうちの電話番号などに基づいて、変更後の識別情報（以下において、適宜、変更後識別情報という）を生成する。識別情報制御部７８ｊは、生成した更新号識別情報を、記憶部７４に書き込んで記憶させる。また、識別情報制御部７８ｊは、当該他の情報端末の所有者情報のうちのメールアドレスを読み出し、当該メールアドレスと生成した変更後識別情報と識別情報の変更を要求するリクエストデータとを含むメールを作成し、当該メールと制御信号とを通信部７２に出力して通信部７２を駆動する。通信部７２は、制御信号に基づいて、メールアドレスの宛先に応じた情報端末、例えば、第１情報端末１０Ｃに、作成したメールを送信する。
【０１６３】
識別情報更新部７８ｋは、識別情報制御部７８ｊにより変更後識別情報が生成された識別情報（以下において、適宜、変更前識別情報という）および変更後識別情報を読み出し、当該変更前識別情報および変更後識別情報と、識別情報の更新を要求するリクエストデータと、制御信号とを通信部７２に出力して通信部７２を駆動する。通信部７２は、制御信号に基づいて、変更前識別情報、変更後識別情報、およびリクエストデータを識別情報管理サーバ１０５に送信する。識別情報管理サーバ１０５は、このリクエストデータが入力されると、変更前識別情報に基づいて、登録されている識別情報を検索し、検索された識別情報を変更後識情報で更新（上書き）する。
【０１６４】
［第１情報端末１０Ｃの構成］
図１１は、図９に示した第１情報端末１０Ｃの構成の一例を説明するブロック図である。なお、第１情報端末１０Ｄの構成は、第１情報端末１０Ｃの構成と同様であるため、以下において、第１情報端末１０Ｃの構成について説明し、第１情報端末１０Ｄの構成は、その説明を省略する。図１１に示すように、第１情報端末１０Ｃは、無線送信ユニット２０および情報取得ユニット３０を備える。
【０１６５】
［第１情報端末１０Ｃ−情報取得ユニット３０−制御部３８の機能構成］
制御部３８は、その機能構成として、例えば、変更後識別情報取得部３８ｄおよび変更後識別情報設定部３８ｅを備える。
【０１６６】
通信部３２は、アンテナ３１を介して受信したメールを制御部３８に出力するように構成されている。変更後識別情報取得部３８ｄは、通信部３２から入力されたメールが識別情報の変更を要求するリクエストデータを含む場合、当該メールに含まれる変更後識別情報を抽出して取得する。このように、変更後識別情報取得部３８ｄは、通信部３２を用いて変更後の識別情報（変更後識別情報）を取得することができる。変更後識別情報取得部３８ｄは、取得した変更後識別情報を、記憶部３４に書き込んで記憶させる。
【０１６７】
変更後識別情報設定部３８ｅは、記憶部３４から変更後識別情報を読み出し、当該変更後識別情報と、識別情報の変更を要求するリクエスト信号とを、入出力部３７を介して接続される無線送信ユニット２０に出力する。無線送信ユニット２０の制御部２５は、このリクエスト信号が入力されると、記憶部２３に記憶された識別情報を変更後識別情報で更新（上書き）するように構成されている。これにより、更新後識別情報設定部３８ｅは、入出力部３７を介して、無線送信ユニット２０が送信する無線信号に含める識別情報として、変更後の識別情報（変更後識別情報）を設定することができる。
【０１６８】
［第２情報端末５０Ｄの動作］
次に、本実施形態に係る第２情報端末５０Ｄの制御方法および第２情報端末５０Ｄの制御プログラムについて説明する。
【０１６９】
なお、上記したように、第２情報端末５０Ｄは、捜索者が所持するものとして説明する。
【０１７０】
図１２は、図９および図１０に示した第２情報端末５０Ｄの動作の一例を説明するフローチャートである。第２情報端末５０Ｄの無線受信ユニット６０は、例えば、起動中に、受信部６２がアンテナ６１を介して無線信号を受信し、制御部６７が無線信号から得られる無線信号情報を記憶部６３に書き込んで記憶させる。一方、第２情報端末５０Ｄの情報取得ユニット７０は、例えば、操作部３５に対して利用者（ユーザ）が所定の操作をすると、制御部７８が図１２に示す識別情報変更処理Ｓ８０を実行する。
【０１７１】
最初に、第２情報端末５０Ｄの無線信号情報制御部７８ａは、入出力部７７を介して無線受信ユニット６０に、無線信号情報を要求するリクエスト信号を出力し、無線受信ユニット６０が無線信号を受信しているか否かを判定する（Ｓ５１）。第２情報端末５０Ｄの無線信号情報制御部７８ａは、無線受信ユニット６０が無線信号を受信するまでＳ５１のステップを繰り返す。
【０１７２】
Ｓ５１の判定の結果、無線受信ユニット６０が無線信号を受信している場合、第２情報端末５０Ｄの無線信号情報制御部７８ａは、無線受信ユニット６０から無線信号情報を取得し（Ｓ５２）、記憶部７４に記憶させる。
【０１７３】
次に、第２情報端末５０Ｄの識別情報判定部７８ｉは、記憶部７４から識別情報を読み出し、Ｓ５２のステップにおいて取得された無線信号情報の識別情報が、以前に取得された識別情報と一致するか否かを判定する（Ｓ８１）。
【０１７４】
Ｓ８１の判定の結果、以前に取得された識別情報と一致している場合、第２情報端末５０Ｄの識別情報制御部７８ｊは、一致した識別情報のうちの一方について、変更後の識別情報を生成し（Ｓ８２）、記憶部７４に記憶させる。
【０１７５】
一方、Ｓ８１の判定の結果、以前に取得された識別情報と一致していない場合、第２情報端末５０Ｄの制御部７８は、識別情報変更処理Ｓ８０を終了する。
【０１７６】
Ｓ８２のステップの後、第２情報端末５０Ｄの識別情報制御部７８ｊは、一致した識別情報のうちの一方の識別情報（変更前識別情報）に関連づけられた他の情報端末、例えば、第１情報端末１０Ｃの所有者情報を読み出し、通信部７２を用いて、第１情報端末１０Ｃに変更後識別情報を含むメールを送信する（Ｓ８３）。
【０１７７】
なお、第２情報端末５０Ｄの識別情報制御部７８ｊが、メールを用いて、第１情報端末１０Ｃに変更後識別情報を送信する例を示したが、これに限定されない。第２情報端末５０Ｄの識別情報制御部７８ｊは、例えば、ＴＣＰ／ＩＰ(Transmission Control Protocol/Internet Protocol)、ＨＴＴＰ(HyperText Transfer Protocol)、ＷＡＰ(Wireless Application Protocol)−Ｐｕｓｈなどの技術を利用して、第１情報端末１０Ｃが変更後識別情報を取得可能にしてもよい。
【０１７８】
次に、第２情報端末５０Ｄの識別情報更新部７８ｋは、通信部７２を用いて、変更前識別情報、およびＳ８２のステップにおいて生成された変更後識別情報を識別情報管理サーバ１０５に送信する（Ｓ８４）。
【０１７９】
Ｓ８４のステップの後、第２情報端末５０Ｄの制御部７８は、識別情報変更処理Ｓ８０を終了する。
【０１８０】
［第１情報端末１０Ｃの動作］
次に、本実施形態に係る第１情報端末１０Ｃの制御方法および第１情報端末１０Ｃの制御プログラムについて説明する。なお、第１情報端末１０Ｄの動作は、第１情報端末１０Ｃの動作と同様であるため、以下において、第１情報端末１０Ｃの動作について説明し、第１情報端末１０Ｄの動作は、その説明を省略する。
【０１８１】
なお、上記したように、第１情報端末１０Ｃは、二人の被捜索者（捜索対象者）のうちの一方が所持するものとして説明する。
【０１８２】
図１３は、図９および図１１に示した第１情報端末１０Ｃの動作の一例を説明するフローチャートである。第１情報端末１０Ｃの無線送信ユニット２０は、例えば、電源が投入されて起動すると、送信部２２がアンテナ２１を介して所定の無線方式に基づく無線信号を周期的に、または、非周期的に送信する。一方、第１情報端末１０Ｃの情報取得ユニット３０は、通信部３２が識別情報の変更を要求するリクエストデータを含むメールを受信すると、制御部３８が図１３に示す変更後識別情報設定処理Ｓ２０を実行する。
【０１８３】
最初に、第１情報端末１０Ｃの変更後識別情報取得部３８ｄは、通信部３２から入力されたメールに含まれる変更後識別情報を抽出して取得し（Ｓ２１）、記憶部３４に記憶させる。
【０１８４】
次に、第１情報端末１０Ｃの変更後識別情報設定部３８ｅは、変更後の識別情報（変更後識別情報）を、入出力部３７を介して、無線送信ユニット２０の無線信号に含める識別情報として設定する（Ｓ２２）。
【０１８５】
このように、情報取得ユニット３０が、通信部３２を用いて変更後の識別情報（変更後識別情報）を取得し、無線送信ユニット２０が送信する無線信号に含める識別情報として、変更後の識別情報（変更後識別情報）を設定することにより、情報取得ユニット３０が取得し、設定した変更後の識別情報を捜索者に知らせることが可能になる。
【０１８６】
Ｓ２２のステップの後、第１情報端末１０Ｃの制御部３８は、識別情報設定処理Ｓ２０を終了する。
【０１８７】
本実施形態では、通信システム１２０が２つの第１情報端末１０Ｃおよび第１情報端末１０Ｄを備える例を示したが、これに限定されない。通信システム１２０は、例えば、１つの第１情報端末は備えていてもよいし、３つ以上の第１情報端末を備えていてもよい。また、本実施形態では、通信システム１２０が１つの第２情報端末５０Ｄを備える例を示したが、これに限定されない。通信システム１２０は、例えば、複数の第２情報端末は備えていてもよい。
【０１８８】
なお、第１情報端末１０Ｃの変更後識別情報取得部３８ｄが、メールを用いて、変更後識別情報を抽出して取得する例を示したが、これに限定されない。第１情報端末１０Ｃの変更後識別情報取得部３８ｄは、例えば、ＴＣＰ／ＩＰ(Transmission Control Protocol/Internet Protocol)、ＨＴＴＰ(HyperText Transfer Protocol)、ＷＡＰ(Wireless Application Protocol)−Ｐｕｓｈなどの技術を利用して受信された、変更後識別情報を抽出して取得可能にしてもよい。
【０１８９】
このように、本実施形態の第１情報端末１０Ｃおよび第１情報端末１０Ｄ、第１情報端末１０Ｃおよび第１情報端末１０Ｄの制御方法、ならびに、第１情報端末１０Ｃおよび第１情報端末１０Ｄの制御プログラムによれば、情報取得ユニット３０が、通信部３２を用いて変更後の識別情報（変更後識別情報）を取得し、無線送信ユニット２０が送信する無線信号に含める識別情報として、変更後の識別情報（変更後識別情報）を設定する。これにより、情報取得ユニット３０が取得し、設定した変更後の識別情報を捜索者に知らせることが可能になる。したがって、捜索者は、例えば、一の第１情報端末３０Ｃの識別情報と、他の第１情報端末３０Ｄの識別情報とが一致する場合に、変更後の識別情報を含む無線信号を受信することで、複数の第１情報端末３０Ｃおよび第１情報端末３０Ｄを容易に識別することができる。
【０１９０】
＜第４実施形態＞
図１４ないし図１８は、本発明に係る情報端末、情報端末の制御方法、および情報端末の制御プログラムの第４実施形態を示すためのものである。なお、特に記載がない限り、前述した第１実施形態、第２実施形態、および第３実施形態のうちの少なくとも一つと同一構成部分は同一符号をもって表し、その説明を省略する。また、前述した第１実施形態、第２実施形態、および第３実施形態のうちの少なくとも一つと類似する構成部分は類似の符号をもって表し、その詳細な説明を省略する。さらに、図示しない構成部分および動作は、前述した第１実施形態と同様とする。
【０１９１】
図１４は、第４実施形態における通信システム１３０の概略構成の一例を説明する構成図である。図１４に示すように、通信システム１３０は、複数の基地局１０１、通信ネットワーク１０２、付加情報サーバ１０６、第１情報端末１０Ｅ、第１情報端末１０Ｆ、および、第２情報端末５０Ｅを備える。
【０１９２】
本実施形態では、説明の便宜上、二人の被捜索者（捜索対象者）のうちの一方が第１情報端末１０Ｅを所持し、他方が第１情報端末１０Ｆを所持するとともに、捜索者が第２情報端末５０Ｅを所持するものとして説明する。
【０１９３】
付加情報サーバ１０６は、後述する所定の付加情報を登録するためのサーバである。
【０１９４】
［第１情報端末１０Ｅの構成］
図１５は、図１４に示した第１情報端末１０Ｅの構成の一例を説明するブロック図である。なお、第１情報端末１０Ｆの構成は、第１情報端末１０Ｅの構成と同様であるため、以下において、第１情報端末１０Ｅの構成について説明し、第１情報端末１０Ｆの構成は、その説明を省略する。図１５に示すように、第１情報端末１０Ｅは、無線送信ユニット２０および情報取得ユニット３０Ａを備える。
【０１９５】
［第１情報端末１０Ｅ−情報取得ユニット３０Ａの構成］
情報取得ユニット３０Ａは、位置情報取得部３３に代えて付加情報取得部４０を備える点を除き、上記の情報取得ユニット３０と同様である。
【０１９６】
付加情報取得部４０は、所定の付加情報、例えば、所有者の状態に関する生体情報、情報取得ユニット３０Ａの周辺の環境に関する環境情報などを取得するように構成されている。付加情報取得部４０は、例えば、活動量センサ、脈拍計、心拍計、体温計、歩数計などを含んで構成することが可能である。この例の場合、付加情報取得部４０は、これらのデバイスを用いて、活動量、脈拍、心拍、体温、歩数などを得ることで、生体情報を取得することが可能になる。また、付加情報取得部４０は、例えば、温度センサ、照度センサなどを含んで構成し、付加情報取得部４０が、これらのデバイスを用いて、気温、明るさ（照度）を得ることで、環境情報を取得することも可能である。なお、付加情報取得部４０は、これらのデバイスを含む場合に限定されない。付加情報取得部４０は、例えば無線ＬＡＮルータなどを介して、これらのデバイスから生体情報および環境情報のうちの少なくとも一方を取得するようにしてもよい。
【０１９７】
［第１情報端末１０Ｅ−情報取得ユニット３０Ａ−制御部３８の機能構成］
制御部３８は、その機能構成として、例えば、付加情報制御部３８ｆ、付加情報符号化部３８ｇ、および付加情報設定部３８ｈを備える。
【０１９８】
付加情報制御部３８ｆは、付加情報取得部４０に制御信号を出力して付加情報取得部４０を駆動する。付加情報取得部４０は、制御信号に基づいて所定の付加情報を取得し、取得した付加情報を制御部３８に出力する。これにより、付加情報制御部３８ｆは、付加情報取得部４０を用いて所定の付加情報を取得することができる。付加情報制御部３８ｆは、取得した付加情報を、記憶部３４に書き込んで記憶させる。
【０１９９】
付加情報符号化部３８ｇは、記憶部３４から付加情報を読み出し、所定の符号化方式に基づいて、当該付加情報を符号化する。これにより、所定の符号化方式に基づいて、付加情報を圧縮すること可能になる。
【０２００】
付加情報設定部３８ｈは、付加情報符号化部３８ｇにより符号化された付加情報と、無線信号への付加を要求するリクエスト信号とを、入出力部３７を介して接続される無線送信ユニット２０に出力する。無線送信ユニット２０の制御部２５は、このリクエスト信号が入力されると、記憶部２３に記憶された識別情報とともに、符号化された付加情報を無線信号に含めて送信するように構成されている。これにより、付加情報設定部３８ｈは、入出力部３７を介して、無線送信ユニット２０が送信する無線信号に含める情報として、付加情報を設定することができる。
【０２０１】
［第２情報端末５０Ｅの構成］
図１６は、図１４に示した第２情報端末５０Ｅの構成の一例を説明するブロック図である。図１６に示すように、第２情報端末５０Ｅは、無線受信ユニット６０および情報取得ユニット７０を備える。
【０２０２】
［第２情報端末５０Ｅ−情報取得ユニット７０−制御部７８の機能構成］
制御部７８は、その機能構成として、例えば、無線信号情報制御部７８ａ、付加情報制御部７８ｌ、付加情報復号化部７８ｍ、および表示制御部７８ｎを備える。
【０２０３】
付加情報制御部７８ｌは、入出力部７７を介して接続される無線受信ユニット６０に、無線信号に含まれる付加情報を要求するリクエスト信号を出力する。無線受信ユニット６０の制御部６７は、このリクエスト信号が入力されると、無線信号を受信している場合に、記憶部７３から無線信号情報のうちの符号化された付加情報を読み出し、入出力部６６を介して当該符号化された付加情報を情報取得ユニット７０に出力するように構成されている。これにより、付加情報制御部７８ｌは、無線信号を受信にしているときに、無線受信ユニット６０から、無線信号に含まれる符号化された付加情報を取得することができる。
【０２０４】
付加情報復号化部７８ｍは、所定の復号化方式に基づいて、付加情報制御部７８ｌにより取得された符号化された付加情報を、復号化（復元）する。これにより、付加情報復号化部７８ｍは、無線信号に含まれる符号化された情報を復号化（復元）して付加情報を取得することができる。付加情報復号化部７８ｍは、復号化した付加情報を記憶部７４に書き込んで記憶させる。
【０２０５】
表示制御部７８ｎは、無線信号情報制御部７８ａにより取得された無線信号情報と、付加情報復号化部７８ｍにより復号化された付加情報とを記憶部７４から読み出し、当該無線信号情報および付加情報と制御信号とを表示部７６に出力して表示部７６を駆動する。表示部７６は、制御信号に基づいて、無線信号情報および復号化された付加情報を表示装置などに表示する。
【０２０６】
［第１情報端末１０Ｅの動作］
次に、本実施形態に係る第１情報端末１０Ｅの制御方法および第１情報端末１０Ｅの制御プログラムについて説明する。なお、第１情報端末１０Ｆの動作は、第１情報端末１０Ｅの動作と同様であるため、以下において、第１情報端末１０Ｅの動作について説明し、第１情報端末１０Ｆの動作は、その説明を省略する。
【０２０７】
なお、上記したように、第１情報端末１０Ｅは、二人の被捜索者（捜索対象者）のうちの一方が所持するものとして説明する。
【０２０８】
図１７は、図１４および図１５に示した第１情報端末１０Ｅの動作の一例を説明するフローチャートである。第１情報端末１０Ｅの無線送信ユニット２０は、例えば、電源が投入されて起動すると、送信部２４がアンテナ２４を介して所定の無線方式に基づく無線信号を周期的に、または、非周期的に送信する。一方、第１情報端末１０Ｅの情報取得ユニット３０Ａは、例えば、利用者（ユーザ）が操作部３５を用いて所定の操作をすると、制御部３８が図１７に示す付加情報設定処理Ｓ３０を実行する
【０２０９】
最初に、第１情報端末１０Ｅの付加情報制御部３８ｆは、付加情報取得部４０を用いて所定の付加情報を取得し（Ｓ３１）、記憶部７４に記憶させる。
【０２１０】
次に、第１情報端末１０Ｅの付加情報符号化部３８ｇは、記憶部３４から付加情報を読み出し、所定の符号化方式に基づいて、当該付加情報を符号化する（Ｓ３２）。
【０２１１】
次に、第１情報端末１０Ｅの付加情報設定部３８ｈは、入出力部３７を介して、無線送信ユニット２０にリクエスト信号を出力し、無線送信ユニット２０が送信する無線信号に含める情報として、Ｓ３２のステップにおいて符号化した付加情報を設定する（Ｓ３３）。これにより、情報取得ユニット３０Ａが取得した付加情報を、無線送信ユニット２０が送信する無線信号により捜索者に知らせることが可能になる。
【０２１２】
Ｓ３３のステップの後、第１情報端末１０Ｅの制御部３８は、付加情報設定処理Ｓ３０を終了する。
【０２１３】
［第２情報端末５０Ｅの動作］
次に、本実施形態に係る第２情報端末５０Ｅの制御方法および第２情報端末５０Ｄの制御プログラムについて説明する。
【０２１４】
なお、上記したように、第２情報端末５０Ｅは、捜索者が所持するものとして説明する。
【０２１５】
図１８は、図１４および図１６に示した第２情報端末５０Ｅの動作の一例を説明するフローチャートである。第２情報端末５０Ｅの無線受信ユニット６０は、例えば、起動中に、受信部６２がアンテナ６１を介して無線信号を受信し、制御部６７が無線信号から得られる無線信号情報を記憶部６３に書き込んで記憶させる。一方、第２情報端末５０Ｅの情報取得ユニット７０は、例えば、操作部３５に対して利用者（ユーザ）が所定の操作をすると、制御部７８が図１８に示す付加情報取得処理Ｓ９０を実行する。
【０２１６】
最初に、第２情報端末５０Ｅの無線信号情報制御部７８ａは、入出力部７７を介して無線受信ユニット６０に、無線信号情報を要求するリクエスト信号を出力し、無線受信ユニット６０が無線信号を受信しているか否かを判定する（Ｓ５１）。第２情報端末５０Ｅの無線信号情報制御部７８ａは、無線受信ユニット６０が無線信号を受信するまでＳ５１のステップを繰り返す。
【０２１７】
Ｓ５１の判定の結果、無線受信ユニット６０が無線信号を受信している場合、第２情報端末５０Ｅの無線信号情報制御部７８ａは、無線受信ユニット６０から無線信号情報を取得し（Ｓ５２）、記憶部７４に記憶させる。
【０２１８】
次に、第２情報端末５０Ｅの付加情報制御部７８ｌは、無線受信ユニット６０に、無線信号に含まれる付加情報を要求するリクエスト信号を出力し、無線信号に含まれる符号化された付加情報を取得する（Ｓ９１）。
【０２１９】
次に、第２情報端末５０Ｅの付加情報復号化部７８ｍは、Ｓ９１のステップにおいて取得された符号化された付加情報を、所定の復号化方式に基づいて復号化し（Ｓ９２）、記憶部７４に記憶させる。これにより、情報取得ユニット７０は、無線受信ユニット６０により受信された無線信号から付加情報を取得ことが可能になる。
【０２２０】
次に、第２情報端末５０Ｅの表示制御部７８ｎは、Ｓ５２のステップにおいて取得された無線信号情報と、Ｓ９２において復号化された付加情報とを記憶部７４から読み出し、表示部７６を用いて、当該無線信号情報および付加情報を表示装置などに表示する（Ｓ９３）。
【０２２１】
Ｓ９３のステップの後、第２情報端末５０Ｅの制御部７８は、付加情報取得処理Ｓ９０を終了する。
【０２２２】
本実施形態では、本実施形態では、第１情報端末１０Ｅが付加情報を無線信号に含めて送信し、第２情報端末５０Ｅが受信した無線信号から付加情報を取得する例を示したが、これに限定されない。例えば、第１情報端末１０Ｅの情報取得ユニット３０Ａは、通信部３２を用いて、識別情報および付加情報を付加情報サーバＳ１０６に送信し、付加情報サーバＳ１０６は、当該識別情報および付加情報に、例えば、登録日時などのタイムスタンプを付して記憶手段に記憶させて登録してもよい。この場合、第２情報端末５０Ｅの情報取得ユニット７０は、例えば、Ｓ５２のステップで取得した無線信号情報のうちの識別情報に基づいて、付加情報サーバＳ１０６から付加情報を取得することが可能になる。
【０２２３】
また、本実施形態では、通信システム１３０が２つの第１情報端末１０Ｃおよび第１情報端末１０Ｄを備える例を示したが、これに限定されない。通信システム１１０は、例えば、１つの第１情報端末は備えていてもよいし、３つ以上の第１情報端末を備えていてもよい。また、本実施形態では、通信システム１３０が１つの第２情報端末５０Ｄを備える例を示したが、これに限定されない。通信システム１３０は、例えば、複数の第２情報端末は備えていてもよい。
【０２２４】
このように、本実施形態の第１情報端末１０Ｅおよび第１情報端末１０Ｆ、第１情報端末１０Ｅおよび第１情報端末１０Ｆの制御方法、ならびに、第１情報端末１０Ｅおよび第１情報端末１０Ｆの制御プログラムによれば、情報取得ユニット３０Ａが、無線信号に含める情報として、付加情報を設定する。これにより、情報取得ユニット３０Ａが取得した付加情報を、無線送信ユニット２０が送信する無線信号により捜索者に知らせることが可能になる。したがって、第１情報端末１０Ｅおよび第１情報端末１０Ｆは、基地局１０１および通信ネットワーク１０２を介した通信ができない場合（通信不能の場合）でも、無線信号から得られる無線信号情報とともに利用可能で、捜索に有益な情報となる付加情報を、捜索者に提供することができる。
【０２２５】
また、本実施形態の第２情報端末５０Ｅ、第２情報端末５０Ｅの制御方法、ならびに、第２情報端末５０Ｅの制御プログラムによれば、情報取得ユニット７０が、無線信号に含まれる符号化された情報を復号化して付加情報を取得する。これにより、情報取得ユニット７０は、無線受信ユニット６０により受信された無線信号から付加情報を得ることが可能になる。したがって、第２情報端末５０Ｅは、基地局１０１および通信ネットワーク１０２を介した通信ができない場合（通信不能の場合）でも、無線信号情報とともに利用可能で、捜索に有益な情報となる付加情報に基づいて、被捜索者（捜索対象者）を捜索することができる。
【０２２６】
なお、本発明は、上記実施形態に限定されることなく種々に変形して適用することが可能である。
【０２２７】
また、上記発明の実施形態を通じて説明された実施例や応用例は、用途に応じて適宜に組み合わせて、または変更もしくは改良を加えて用いることができ、本発明は上述した実施形態の記載に限定されるものではない。そのような組み合わせまたは変更もしくは改良を加えた形態も本発明の技術的範囲に含まれ得ることが、特許請求の範囲の記載から明らかである。
【符号の説明】
【０２２８】
１０、１０Ａ、１０Ｂ、１０Ｃ、１０Ｄ、１０Ｅ、１０Ｆ…第１情報端末
２０…無線送信ユニット
３０、３０Ａ…情報取得ユニット
５０Ａ、５０Ｂ、５０Ｃ、５０Ｄ、５０Ｅ…第２情報端末
６０…無線受信ユニット
７０…情報取得ユニット
１００…通信システム
１１０…通信システム
１２０…通信システム
１３０…通信システム
【図１】
2015200526.tif 000003
【図２】
2015200526.tif 000004
【図３】
2015200526.tif 000005
【図４】
2015200526.tif 000006
【図５】
2015200526.tif 000007
【図６】
2015200526.tif 000008
【図７】
2015200526.tif 000009
【図８】
2015200526.tif 000010
【図９】
2015200526.tif 000011
【図１０】
2015200526.tif 000012
【図１１】
2015200526.tif 000013
【図１２】
2015200526.tif 000014
【図１３】
2015200526.tif 000015
【図１４】
2015200526.tif 000016
【図１５】
2015200526.tif 000017
【図１６】
2015200526.tif 000018
【図１７】
2015200526.tif 000019
【図１８】
2015200526.tif 000020